(57)【要約】      （修正有）【課題】  本発明品には、アインシュタイン博士の提唱した相対性理論Ｅ２＝ｎを基いとし、これにＸ＋Ｙ＝Ｚとしての運動力学を用いる科学式と、安全、利使用目的、便利、使い勝手の良さに有り、五大要素を得る衣装学にあり、哲学を用い、人膚ロドプシン細胞バッテリー説を人類進化説に用い、解賠学見地に掴えて見た時、これが作用して、動物体に神経活動を発生させる要因である事を定説とした時、人類の膚細胞には、必要（一日２時間前後）以上の太陽光線パルスを需注してはいけない事を発見し、これを超えて、人体に強要される時、神経経路にある、脳筋連立体に支障（日射症）を来たし、やがて、これらの細胞群は、乾死する破壊活動にあるメカニズムが生じる時、従来の科学にある、ｕｖカット、コラーゲン食材では、効果を得る事なく、人体は、老化し続けるので、これに衣装を着けさせると、便利、使い勝手の良さ、利使用目的の意義を技術量不足から損う物ばかりであった。【解決手段】  そこで、筆者は、本発明品の開発に当たり、昔は高価であり、高級品であったが、現在では低コスト、大量制産され、現物を改良するのもそう難しくもなく、汗の吸収、通気性の良い薄手の綿手袋の五指第二間接部位を削除するが、手甲部分は保水性を良くする為、厚地を用い、綿生地の節約を計りながら、これを着衣させ続けると、通気性が良く、光粒子パルスを体熱に換え、汗、水が昇華する時、そこにオゾン層を発生させながら貯め（呼び水現象発生）るので、皮膚を漂白する事を得、抜け毛も無くなり、人膚細胞をいつまでも若者の如く保持させるものとなった。それ故、腕には、腕カバー、頸部には、襟巻（襟カラー）、頭部には、鉢巻を図面に示す様にして、使用すると、これらの膚細胞は、同じ原理の元に、老化（劣化：乾死）しかかったものであっても、保健を元に美しく甦える事が出来るものとなります。【選択図】図１
2005325498.tif 000002
【特許請求の範囲】
【請求項１】
本発明品は、人体裸体部に対して、必要不可欠以上に多量の太陽光、パルス電子粒を需注した場合、有害となり、その膚細胞を弱体化させ、やがては、多くのロドプシン細胞（神経系体電子流細胞）の死滅を招くままに、これらは甦生不能に陥ってゆき、ガサガサ膚、皺、垢を多く作り、白髪、脱毛症を併発し、次第に若者の素形から、みにくい老人の素形に、変貌してゆく時  電粒子神経体細胞の不足を、脳筋連立体に招き、体力をどんどん劣化させ続ける事で、老化現象を深めてゆき、やがて、人は死を迎える事となる。とする、新科学一見地学説論証論理論文をこれに提唱する事への請求をして、
【請求項２】
これをする、この様な時、本発明品の名称にあって、これに準ずる、本発明品を身に付ける衣装として、これに用いた場合、これらは不用な、パルス電子流光線除けに供じられ、膚細胞の老化を防ぎ、又、本論文内容にある、この理由にあって、弱体化した人体膚細胞を、蘇生させる甦生力を持ち、元のきれいな膚に変貌させてゆく効力を持ち、
【請求項３】
これを、夏期、冬期を通して、作業、仕事に用いる時、暑さ、寒さ除けにもなり、省エネルギーに役立ち、利使用、便利が良く、本論文内容によって、人体にメカニズムカル的に発生し続ける、体垢油汗の出を減少させ、衣服を汚さず、ノート、作業道具、作業用紙をも汚さずに業務効率を上げる事の出来る発明品である事への請求。
【請求項４】
そして、それらは、人体（猿を含む）頭部へ供給されるパルス電線光粒子線のその殆どは、顔面部で、受注される分で、ほぼ充分であったので、人の襟首には、これを、入り込みづらくする為、未来型、立ち襟シャツを考案し、これを保持させる為、中に、襟カラーを入れ、襟カラーを留めるペニスボタンをこれに用ける事への請求。
【請求項５】
襟カラーには、ゴム通し溝を付け、中にゴム紐を通し、そのゴムの両先端にボタンを設け、付け外し、自由型ネクタイを留め付けられる様にすると、ネクタイを製産する際、生地の更なるコスト減になる事を発明する事への請求。
【請求項６】
本論文内容にあって説明される、昼間２時間程、日光浴がしたい時に、手袋、シャツ各部に（切断）ファスナーを設けておき、必要時には、これを取り付け、取り外しが出来る様に、これら、必要部所にファスナーを取り付ける事を発明する事への請求。
【発明の詳細な説明】
【技術分野】
【０００１】  太陽光線、パルス電子を人体に浴びる事は、健康に良い事であったが、必要不可欠以上にこれらの光粒子線を浴び続けると、人体膚細胞の新陳代謝が追い付かず、膚細胞が弱体化し続け、老化現象が始まり、本論文内容に準じ、白髪、脱毛症をも併発する事実が発見され、【０００２】  従来にある主だった技術では、太陽光線、パルス中にある、紫外線をのみ、敵視する他、現、先進大国にある、豊食、豊饒の現状を弁えず、人類は、膚細胞構成物質を作るコラーゲン摂取不足にある栄養失調が原因する、膚荒れ、老化現象を招いている等とする未然で進歩しない現代科学があり、【０００３】  一般、現代社会人の日常茶飯事にある定説となって、多くの企業体、投資家等が、これら科学を信望し、多くの投資金を、排出し続け、一般大衆にあっては、老化防止、膚細胞の若返りを志ざす人口の夥しきを数えて、これらに追従し、大きな効果を果さないでいる時、【０００４】  筆者が発明した物品等の数々を本件論文の内容に従って、使用した場合、人体、裸体部における、膚細胞の弱体化を押え、即に弱体化し、老化現象を起こし、皺を起こして、死滅し続ける（ロドプシン）細胞、頭髪等も蘇生させる効力を持ち、これをして、常に身に付けていても苦にならず【０００５】  従来にして、出し尽され続け、あらゆる旧体科学能力（産業界）を基いとし、それら技術力（産業界）によって、考案され、産出され続けて、定着している衣類衣装に併用し、組み合わせて用いる時、省エネルギーギー対策に効を得、人体、毛髪、襟首、顔から多量に発生する、油症による、垢やフケ、痒みを押え、タオル、衣類を臭くさせず、襟元を汚さぬ他、作業（仕事）中のノートや事務器機、用品を汚さないで、これに従事する技術力を要しているものであった。
【背景技術】
【０００６】
【特許文献１】  出願番号、２００３−４３６３０８、出願日、平成１５年１１月２６日、兜型ヘルメット
【特許文献２】  出願番号、２００３−１４６９９４、出願日、平成１５年４月８日、必ず眠れる枕
【特許文献３】  出願番号、２００３−３２９０８  、出願日、平成１５年８月６日、多目的用途収納ケース
【特許文献４】  出願番号、２００４−６４７８６  、出願日、平成１６年１月２６日、危険業務中居眠妨護具
【特許文献５】  出願番号、２００４−１１１６１２、出願日、平成１６年２月２３日、全自動シートベルト
【特許文献６】  出願番号、２００４−            、出願日、平成１６年３月２４日、ナマハゲくん
【特許文献７】  出願番号、                      、出願日、平成    年  月    日、ＵＦＯＩ型推進器
【特許文献８】  出願番号、２００４−１１０５６２、出願日、平成１６年２月１９日、笑う佐藤さん
【発明の開示】
【発明が解決しようとする課題】
【０００７】  筆者がまだ小学生であった頃、先生が人間にとって、生きてゆくのに一番最初に大切な物は、衣服であり、二番目に食べる事であり、三番目に家が必要である。」と教えてくれた事があった。【０００８】  コドモであった筆者は、三位一体にあり、この哲学論にある論理に対して、家を持たず、公園のベンチに寝泊りしている浮浪者を見ていて、家が無くとも人間は生きてはいけると思ったが、食と衣服は、一体どちらが先行して大事な物なのか、後々、真剣に考え続けた事があった。大人になってからもそうであった。課題となった。【０００９】  原始に生きる裸族的人間はその衣服を必要としてはいなかったからであった。筆者は、【００１０】  原始裸族には、文明（文字）こそ持たないものの、絵を書き、それを住み家とする、家を持ち生活をしている事実がある時、この完成している筈のギリシア哲学はそのままにして、解賠学を基いとして、これを再吟味しているものであった。本発明品、健康手袋を公表したかったからであった。【００１１】  人類、ホモサピエンスは、現在、地球上の覇王であった。しかしながら、頭部、他、において、これを除く、全身、その全てが裸体となっている。何故であろうか？諸説紛々なる学説が、この世に在ったが、筆者は下記から示す如く、解賠学的見地を用いて考えていた。そして、これしか無い。と考えていた。【００１２】  人は胎児からの発生を解部のプロセスから鑑みると、人の胎治は鰓、尻尾を持ち、手足に鰭を持ち、やがて、それらは消滅して、一個のホモ、サピエンスの形成を得て、母胎から世の中に出て来るものであったが、【００１３】  この発生段回で、基体となる父母に強い心理学的衝撃を与え続けると、胎児の心理、体調、体型に変化（奇形、若しくは突然変異）の徴候が表われる事は、人類学、奇形発生進化説等においても、多くの報告がある。しかしながら、本題は、そこでは無い。【００１４】  一例を揚げると、人の生活、環境が生死にかかわる程重大であって、悪条件が整い、仮に、人が海にとり囲まれて陸地での生活がむつかしい場合、次世代から鰓を持った新生児（エーリアン：奇型児とは呼ばない。）が、１０万分の１の割り合いを超えて、集団で生まれる場合がある。
けれども尚も本題は、そこでも無い。（大西真実２００−    平成  年  月  日出願「ＵＦＯＩ型器」参照されたし）【００１５】  課題を本題に戻す。人類は現在、海にも、陸地においても順応できる欲ばった体型デザインを選んで裸のサルとして地球上の覇者、覇王となっていた。（猿は、人間に近くなると、顔や躰から体毛を失う。）【００１６】  しかしながら、それらは何も人類に限った事ではなかった。カモの様な水鳥では、布団の様な羽毛を躰に持ち、空を飛ぶ羽根を持ち、敵に襲撃されづらく、エサの豊富な、水陸両用を行きかうのに適し、便利な脚を体型デザインに選んで、地球上に栄え続ける事が出来たものであった。【００１７】  筆者の研究グループは人類に近い、オラウータン、チンパンヂー猿の頭部を除く、全身体毛を取り除き続け、人間の子の様に、これに衣服を纏わせ続ける実験を３０余年に渡って続けた所、いずれの猿においても、脳機能障害を起こすものとなり、早死にを強いる結果を導き続ける事となったが、その子孫に隠部を庇う者も出た。（旧約聖書、創世記第３章。「人は我々の様に善悪を知る者となった。」）【００１８】  この実験の目的は、人類の知能増大に並行して、体毛を失い続けて来た人類、体系デザインに際して、その因果関係は、解賠学見地から、その進化の過程において、並外れて進化し、巨大化した、人類の脳に供給し続けなければならない、パルス（太陽光線）電子の供給源（「必ず眠れる枕」平成１５年４月８日、特許、出願番号２００３−１４６９９４を参考にされたし）をして、これらは、人類の全身膚にある、ロドプシン細胞（細胞バッテリー）に求めたからであった。【００１９】  分かり易く言うと、人体をする解賠学、脳筋、電子流連立体係は、人の脳に４千億個の脳細胞があったとして、
2005325498.tif 000003
在って、神経一本一本により、これを伝通する連立体系の元に、電流子間のやりとりをする神経が、これにある時、【００２０】
2005325498.tif 000004
大脳：大脳皮質（ソフトウェアー）に送り返し、人は昼仕事８時間をしますが、やがて夜るが来て、眠りに付くと、その集め
2005325498.tif 000005
（シナプス電子はα波で読み取れる）を発生する、就眠中の旧脳、海馬（ハードウェアー）に集められる時、記憶の原型を保持する、海馬の中に、余計な情報が入らぬ様に、大脳（新脳）をβエントロフィン、若しくはメラトリンをする覚醒物質で、しっかりと、麻痺させておかなければならぬ現象が起こる時、これを一般用語で「眠り」と呼ぶ。（旧脳海馬に余計な、新脳情報が入ると脳間絶交（精神分裂）症を引き起こす原因となったからであった。【００２１】  そして、就眠中において、海馬（ハードウェアー）を通して、大概の記憶体系（同系記憶）は整理されると、レム周期率に合わせて、大脳覚酔βエントロフィン物質を残してメラトリン覚醒物質が減少するに合わせて、大脳はインパルス
2005325498.tif 000006
は、β派として読み取れる。）として、配布され続けます。（βエントロフィンは、海馬と、中枢神経大脳の活発制止のニュートラル済となる。）【００２２】  この時、人、動物は夢をみます。夢は臨床心理学体系を編成し、脳機能状値を計れるものとなります。【００２３】  しかしながら、そこで問題となるのは、これ程までに拡大、肥大した人類の脳細胞と筋細胞を緻密且つ綿蜜に伝通する、８千億個もの細胞との意志疎通（考証論理は、大脳皮質像）を計る電子容量をして、インパルス電子をＸとし、シナプス電子をＹとし、その容量をＺとし、公式Ｘ＋Ｙ＝Ｚとした時、Ｅ２＝ｎは人体全容の電子容量となり、【００２４】  このＺをする光電子流容量を蓄発電し、人体、脳筋神経路に供給できるものは、人間の躰から、頭部を除（理由が有り、後説明）き、全身の体毛を取り去って、その膚細胞に散在するロドプシン（太陽光自家発電）細胞により、光粒子を光電子粒子に変換させて、インパルスＸを用いるより仕方が無かったからであった。【００２５】  自ずと人類は、全身から、他の動物等が選ばなかった。体毛の全てを取り除き、失わせる進化の過程を辿る事になったものである。と、筆者は、「人類脱毛裸体進化説」を独持に打ち立てるものであったが、特に、前頭葉、脳に近い顔面部と、それらを発達させ続けた人の手指、手甲をする脳筋連立体には、体毛があってはいけなかった。【００２６】  同様の事において、今から遡る事、数億年から、数十億年以前をする、特にジュラ紀、白亜紀におけるまでの間、地球上の覇玉となり、君臨した恐竜達、爬虫類も、生存権拡大を計るには、短期間に頭脳中細胞ではなく、全身無限大を計るべく選択を最良として、その躰には、体毛を持たないデザインを躰中において、選択したものである。と筆者は推意するものであった。
然るに、これらは特許論文となった。【００２７】この事から人類におけるコドモ達も、短期間において、決まった年代におき、人生を生き、抜く為の年数分だけの知識と知恵を、その脳容積が拡大する期間内に収得しなければならず、それらを、その時期に収得できかねる者は、不利益を被る他、人間、間における協調生活すら出来ぬ事（引き籠もり、派閥内つま外き現象）となったからであった。悪く言えば死を表わす。【００２８】  では、何故、人類は体毛を全身から失って、光粒子を全身に浴び、膚細胞バッテリーにより、多くの電子粒を、人体、脳筋体に供給する事が出来る有利な条件が備いながらも、その裸体を隠すべく、衣服を纏うのか？という、次なる疑問が生じる時、その理由は、【００２９】  人間が一日の稼働する脳筋体に供給する光電子量は、一日、二時間前後で十分だったからであり、主に風呂に入って、全身裸体を剥き出しにしている間に、電灯における光粒子でも充分に、膚細胞中にあるロドプシン細脳は、人の躰の内にある脳筋連立体に必要なる光電子粒に変換して、既にこれに蓄電しているものであった。【００３０】  話しを分かり易くする為、例えを使うと、現代２０００年の世に入ってから携帯電話という物が急速に普及し始める為、この携帯電話に附随する、バッテリー他、車両にあるバッテリー等を例えに揚げて、充電量が少ない時、これをバッテリーチャージャーにかけた時、どんなに蓄電量が減っていたとしても、健康体のバッテリーならば、二時間も充電器にかけていれば、すぐに充電してしまう事に似ていた。【００３１】  人体ロドプシン細胞の蓄発電現象も、これと全ったく同じであり、必要以上に過充電し続けると、バッテリーは体調不良を起こし、分離現象を起こし、塩を吹き出し、やがて死んでしまいます。
【課題を解決する為の手段】
【００３２】  動物実験において、人間より脳容積の遥かに少ないチンパンジー、オラウータン猿類の他犬類からその体毛を全て取り除いて、人間の子と同じ様に衣服を着せて、育ててみると、彼等が持つ、脳筋連立体のアンバランスを来たす、必要以上の光粒子を、その膚、ロドプシン細胞に招く結果となり、やがて、脳機能障外を併発し、短命寿命の元、絶命するものとなった。一時流行したプードル犬から、猟目的の為、その体毛を半分削り取った場合や、羊等の、体毛を剃り取った場合には、絶命危険を脅かされる為、急いで自体体毛の複起を促し続けますが、それ以外の目的で、これらの者達の体毛を剥ぎ取り続けた場合、脳機能障害の元、絶命するに至っていた。
（脳機能障害とは、人間で言う、日射病と全ったく同じ物である。）
【００３３】  そして、水性動物においては、その躰からすっかり体毛を失っている。イルカ、シャチ、クジラ等においてはその全身裸体に、あり余まる太陽直射日光パルスを照射され続けている不具合があっても、水面においては、第一次オゾン層がこれに発生し、動物体に有害な、太陽光と処断し続けてはいたが、これらの動物等は、体内皮面に、夥しい数のロドプシン細胞を蓄積させ続け、蓄積電粒子の余分となる頃、これら、インパルス電子
2005325498.tif 000007
食する事に使用し、又、躰に付着する、寄生虫の駆除に用い群れを成し、仲間同志で助け合って生きているものであった。
【００３４】  南米アマゾン秘境地帯に棲息する、電気鰻、鯰類の魚類も同じ説明の元に、体内表皮に夥しく、蓄積されたロドプシン細胞を水中に常時、吐き出し続け、付近を泳ぐ魚を弱らせ、補食するが、これが体内に貯まり過ぎると一瞬にして、４５００〜６５００Ｖに近い蓄積電子流を発っする。と言われる。
【００３５】  地震等の摩擦熱は、（摩擦熱は夥しい光電子量に変わる、万有爆力の法則参照されたし）地場、磁力静電子を吸収しながら進む時、この様に体内素皮に大量の畜発電する動物等では、これを体外にうまく排出できない時には、脳機能障害（動物体内に必要以上に光電粒子：磁力線を貯めると自律神径失調症）を起こし、鰻、鯰類の魚類では、これが躰に貯まらない様、激しく動き廻わり（逃避行為）ます、人体は靴を履くので、鈍感になっている。
【００３６】  それ故、人類、人間においても、一日二時間を径過する、全身日光浴は、本件をする解賠学的見地から言って、脳筋連立体進化説を提唱する、（但し、そこに汗をして、水が在る時には、本件は適用されない。）危険なものであり、これをする、脳機能障害：日射症を併発する事となったからであった。（大西真実、特許、出願番号２００３−４３６３０８兜型ヘルメット参照されたし）
【００３７】  これらの事から、筆者が解賠学見地を主体として、完成されたギリシア哲学における、哲人達が唱えた人類、人間にとって、衣、食、住における、見地を考察する時、この論理は正しかった。と解されるものとなった。
【００３８】  例外として、パプアニューギニア等奥地に今尚、原始裸族として、生存する原始民については、我々、文明社会人が不要の物として常に全身から、取り除き続ける垢の着き方が違うものであろう？としか、今の所、考えてみようが無かった。まだまだ未解決とする、筆者の研究課題となり、迷であった。（大西真実、特許論文２００４−        平成１６年３月２４日出願「ナマハゲくん」を参照されたし）
【００３９】  しかしながら、本件課題を現状に戻す時、中高年、老人等を裸にして、その裸体を公衆浴場で見ると、日々衣服を着ている所は、青少年の裸体細胞に見られるその美しさとさ程に変わらぬものであったが、日々、衣服を身に付ける事の少い、顔、襟首、腕、手足の甲となると、そういう訳にはいかなかった。（垢の出方も多い。）
【００４０】  顔の皺を見て、人の年令が分からなければ、手の甲、若しくは、襟首にある皺を見れば、人の年令が分かると言われる程までに年令を重ねた人間の膚細胞は、緩み、皺となって、歴然と表面化したものであった。
【００４１】  １日２時間以上に渡って、不必要なる太陽光線パルスを浴び続けた手甲、腕、襟首における（ロドプシン）細胞が乾枯死んで、その蘇生が及びつかなかった成れの果ての素形であった。
【００４２】  人はいくつになっても、青少年の様に若々しく、水々しい膚細胞を持ちたいものであったが、これらは、俗に人々が言う「知らないうちに生じる老化現象」と呼び、どうにもならないものである。と半ばあきらめ半分にあるものであったが、どうしても、これに執着する人々の中には科学者もいて、本件科学論文にある根拠を採らず、未だ手探り状態に有る中、
【００４３】  これらを防護すべく、ｕｖを因果原因とする、ｕｖカット装備品、薬済、はたまた、コラーゲン入り栄養済、美容入液済を試するに予念が無く、研究され続け、労を費やすが、課題をして、的を得てはいないので、大概効果は無かった。その理由は、
【００４４】  現代、体細胞の少ない細菌、微生物に、波長の短い紫外線パルスを照射し続けると、これらの殺傷効果がある旨による動物実験から、人間の細胞もそうに違い無いとする、ドグマ学説が、定説となり、若返りを志ざす、投資家連の、投資の無駄使いに拍車をかけていたからであった。しかしながら、
【００４５】  そこで考え出されたのが、本学説を基軸とした、ロドプシン細胞乾枯死説を主軸として、物事を考える時、プリズム光線、赤外線、紫外線パルスも人体には一切無害であり、１日２時間以上の太陽光線パルスを人膚細胞に浴びなければ良い。と、本学説は解説しているものであり、人の垢の発生メカニズム、抜け毛のメカニズムも妨御システムの一環であり、ロドプシン細胞を消失した物を不要として、身体から除外する植物の枯れ葉が抜け落ちる現象に似ていた。
【００４６】  人体実験では、――――――――――――――――――――――髪の毛を剃髪し、１年間スキンヘッドとしていて――――剃髪部分に、シミ、ソバカス、夥しい頭皮垢（フケ）が生じ、皺が生じ始めるものであり、――――――であった。（厳重注意：筆者は、本論文の意義の分からない頃の実験であったが、幼少期のコドモの頭部には例い帽子を被せていても、本論文の意義にある脳機脳障害を起こす原因となるので、してはならないものとする。被験者、大西真実。）
【００４７】  そして、１年後、髪の毛を正常に延ばしてから、１年間径過して、再び、スキンヘッドにして状態を見ると、正常にあるきれいな膚細胞に戻っていた。頭皮垢の出かたは、その間において、異常なものであった。ここにおいて、本件、健康保険衣装類の意義が発生した。
【００４８】
2005325498.tif 000008
る時、あらゆる生物体皮膚表皮は、光粒子代償温度から保護されるものとなる。汗かき現象であった。
（大西真実、特許、  出願日、平成  年  月  日出願、ＵＦＯＩ型推進出力器を参考されたし）
【００４９】  分かり易く言えば、光粒子は、水原子と衝突する時、あらゆる代謝物に変わるものである、植物の光合性をその一例とし、光粒子は、同出力数の電粒子に変換し、光粒子は、同出力数の熱量（Ｃａｌ）に変換し、他原子が、そこにある時には、これと結び付き分子へと成長させてゆくものとなる時、大義の意味から、動植物は、空気中炭素と水を用いて、必要な栄養素を得る事が出来るものとなった。
【００５０】  然るに、光粒子は宇宙空間を進行する時、何んら影響を持つものでは無かったが、水素原子（Ｈ）を得て、これに衝突する時には、同出力の熱量（Ｃａｌ）に変換するものであり、（立証実験は、宇宙空間にある水素原爆とする。）宇宙空間で爆発した時、水素爆発は、光粒子を再変換させ、新たに光粒子、パルスを作り出し、宇宙空間に飛び続ける原動力となり、これが地球に届く時、
【００５１】
2005325498.tif 000009
（Ａは大気圧）≒４℃（人体４千億個の１ｎｍ２にある、１細脳が瞬時に受ける光粒子の質料を表わした式。）の変換熱量を生み出し、水素爆発現象を引き起こします。これが、俗に言われる雷現象であった。（雨水が光って見えるのは、この原象であった。）
【００５２】  雷は、４０００００００℃の温度を電流子４０００００００Ｖに変換したパルスの素形でしか無かったが、この時の、雷の持つ爆発温度Ｃａｌによって、水素原子は外き飛ばされ、酸素原子３個は強制的に化合させられる時、ニュートリノ（Ｔ）を除く、第一次爆発をして、オゾンを発生させ、地球生命体、大気を安定させますが、安定し続けるオゾン層に、
【００５３】  現代の大気汚染を称して、ＣＯ２をする燃性物質が入り込み、オゾン層を作り続ける、雷パルス（光電子粒）のスパークに、触れた時、摂氏１００℃で、あらゆる構造分子に含まれる酸素０と反応する時、現人類が利用する、酸化第二次爆発説をする、１００℃における、第二次酸化爆発を起こし、発火し、火種を残して、周囲に有るオゾン３日の酸素を吸収し、これに反応する時、変体型となるオゾンでは、窒素Ｎを取り込んで光化学スモッグ等を作り出し、堪しい時には、多くのオゾンＯ３を取り込んで酸化大爆発（水蒸気爆発）を引き起こし、オゾン層一帯を消失させる事もあった。（これらは特許論文となった。）
【００５４】  それ故、これだけ大量の電子力量を常時、畜発電し、これを人の巨大化した脳筋連立体に提供し続ける人膚細胞バッテリーでは、仮りに、その人が、そこで、瞬間的に死亡した場合を例にとった場合、その死亡者の脳筋連立体では、そこに貯えられた多量の電子量は、需給、需用の場を失い、迷送し始め、「迷い」
2005325498.tif 000010
「憑依：口よせ現象」があり、その肉身が死亡者の他意識を継ぐ事は、心霊科学現象において、あり得る事となります。
【００５５】  しかしながら、本件を解賠論理学を用いて、近代医学を考えた時、分かり易く言えば、人が仮りに事故に遭って、その手足を切断して失った場合でも、人の脳筋連立、電子ワープ現象体系学において、この様にして、人が、手足を、すっかり失ってしまった後の場合においても、その失われた部分における、電子力ワープ線（神径）は、肉体神径径路を辿る必要はなく、記憶された、元の肉体部位神径径路に正確に残って（幽霊現象）働き続ける事が出来た。
【００５６】  事故で、右腕を失った人が、病院で、意識を取り戻して、腕の無い事に気が付いて、病室内を探し廻っていて医師から説明を受けたが、箸を操作できる程まで、鮮明なる、記憶が、右腕の細部に至るまで残って、右人指し指がかゆいのに、これをかく事の出来ない、不思議さを、医師に訴えているのに似ており、
【００５７】  故に、本件、学説を逆説から掴らえると、人体が五体満足にあって、頭骨内に在る脳神径細胞が死滅（脳死）した場合でも、人体の五感体が満足に存在していた場合、脳筋連立電子ワープ体系は完成しているものであり、このワープする電子力線のみは、例い、脳神径細胞をする肉体を失っていても、その患者の失われた脳機能細胞があった場所を正確に辿って、径由し、脳筋連立神径にあらゆる諸情報のこれを伝達し続けます。
【００５８】  この脳筋連立電子流神径体系を体系付けた学説は未だ医学会には報告が無いので特許論文となった。
【００５９】  然るに、仮りに脳死患者を前にして、無知の元、「身内、親族の許可を得たから遺体にメスを入れ、これを切り刻み、解体し、移植手術材料にして使う。」などと言う言葉を発っして、これを言えば、この患者の耳、鼓膜が作動
2005325498.tif 000011
する時、この、筋機脳神径細脳は、失われた筈の脳機能神径細胞と全ったく同じ、機脳体に形成され復元されつつ、患者に拒絶反応がある時、
この植物人間化した筈の患者は涙を流す等の生体反応を示す所となります。
【００６０】  それ故、「脳死」した患者を絶望の元、「脳死」を「人間一個人の死」と決め付けて、現代の医学会は、これを定説としている考え方は、絶対に容認してはいけないものとなります。それらは、
【００６１】  胃癌病の元、胃その物を切除し、胃を失った患者の食道が、捐失した胃機能を再成するのに以て、養生時間は、多分に必要とはするものの、
【００６２】
2005325498.tif 000012
連立体においては、失われた脳機能細胞の一部を復元し、蘇生させて、植物人間化した人を甦成させる事ができたからです。
【００６３】  立証論理では、事故に遭い、植物人間化した人が、手厚い看護の元、七年間の年月間を養して、朝、目が冷めて、起きる者の如く、起き出して、いつもの日常生活をしだした。という報告例がいくつもある様に、この患者の脳を  を用いて、覗いてみると、植物人間化した、事故当時のままに、その部分の脳細胞は死滅し、欠捐したままであっても、不思議と、本件学説に掴える所、人体五体の、脳と連絡を取り合う、筋機能体細胞いたる所から、人体頭部に表われる筈の脳波が表われるものとなっていた。
【００６４】  この論理学を実体で表わす時には、古生代生物（ジュラ紀）における恐竜、ステゴザウルス等は、解賠学的見地において、肉食恐竜達から身を守るべく刺のついた尻尾を激しく振り回わさなければならぬ必要に迫られ、欠捐するに等しい少脳容積脳を捕うべく、尻尾の筋機能神径矯正を計る為、この筋機能神径の増大を計りやがて、脳波を発っするまでにも、神径根（脳）をこれに発生した実例にもあって、筋機能神径は脳に変形し、硬生するものであった。
【００６５】  そうしてみると、エネルギー革命から、発明され人間の道具として作られた、車両等は、やがて、その技術の向上に伴って、神径の行きかう人間の手足の如く、動くロボット化する時、これを事故、その他の理由で失った時には、人は、「我が身をして、血の行った、手足を失った様である。」とまで言う様であった。
【００６６】  ところが、これについても、本件論文において、本件発明の効果を分かり易くする為に、課題に揚げる事にした時、
【００６７】  即ち、人間の躰からは、前記される一日の稼動をするのには、必要な、太陽パルス電子を体内に取り込み、その細胞で、畜発電し、これをインパルス電子に変えて後、シナプス電子力に変えるオーラーが出ているものであったが、この電子流は、主に目からの出し入れが、主流であったが、（大西真実特許、出願番号２００３−１４６９９４、「必ず眠れる枕」を参考されたし）
【００６８】  特に、手足全体からも大量に出ている時に、この電子力線は、ハンドル、クラッチ、ブレーキー、レバー、ギアーを伝わって、順次操縦される車両の細部に至るまで出力されては、シナプス電子として、出力し、人体に環元され、又巡行し、入出力を繰り返すものであった。
【００６９】  例えがよく有りませんが、大型ダンプカーの運転手においても、普通車両運転手においても、動物の死体が道路上に転がっているのを轢いた時の感触は、これを以って、タイヤ、ブレーキ、レバー、クラッチ、ハンドルに順に伝わって来て分るものです。
【００７０】  そして、滑り易い、アイスバーン、道路上にあって、後部死角位にコドモが歩いているのを見る時、これらの運転手等は、人、体内にある、インパルス電子をフルに出力（神径を使う）して、巡廻させ、運転車両の全身に至るまで、自身と車両に神径を同化させ続けて、危険物（コドモ）に車体がぶつからない様にして、危険の回避を計り続けた場合、
【００７１】  この様に、自分の愛車に自身体内のインパルス電子（神径）を行き、張り巡らせ続け、車両を自体と同化させて、走り続けるドライバーがあった場合、それらは、既に自分の躰の一部と同じ物になっているものであり、こすれて、かすり傷等が、そこに付けば、自分の躰に傷が付いた様に、心に痛みが走り、自分の躰と同じ様に奇麗に保修しようと心がけるものとなった。
【００７２】  技術者が持つ、バット、グラブ、昔のサムライが持つ刀。大工の金鎚、カンナ。板前の包丁。音楽家の持つバイオリン等々と例えを揚げれば、キリが無くも、全てに渡って同じ事であり、これだけの例えを用いなければ、今までに無かった発明科学とは、保守科学の概念から、容易に受け入れられなかったからであった。
【００７３】  この様に、人類は優れた道具を作り続ける歴史の中でその作り続けられた道具の中に至るまで、自体内において、膨大に必要に応じて、同時に供給し続けなければならなかった（特に電気の良電体、鉄金属を発見した）畜発電の必要性に迫れれる時、人体皮膚表皮に、ロドプシン（発電）細胞を増やし続け、体毛を捐わせる進化の過程を得る所となった。
【００７４】  筆者は、他に多くいる兄弟の中で、親の死に目に遭い、親の意志を継げる只独り、親が死んだ時、そこに居て、その亡き骸が持っていたインパルス電子の全てを受け継ぐ事が出来た。親の意志を受け継ぐのは、肉体にある遺伝子だけではなかった。
【００７５】  筆者はバイオリン奏者であった。素形、型は同じに見えるバイオリンでも、シュトララデバリウスでは、製作者が持っており、製作者の脳筋が発っする強い電子流が、その手先、ノミ、ナイフ等工具を伝わって、バイオリンの木目からその細胞に至るまで、電子流の形で、レコードの刻まれる溝の如く、これを焼射しながら削り取り、バイオリン本体に、製作者の脳の中にあるシワと同じ溝、空洞をこれに、刻み続ける時、制作者が意（心）とする音色が、これに出る様になった。
【００７６】  即ち、人の脳とは、新生児において、その生活する過程において、発生する体内の強いインパルス、シナプス電子流が、脳中、筋中連立体細胞を行き来しながら、同一視される刺激物を掴えると、記憶すべく、これらに焼射し、削り取り、レコードの溝（シワ）に以た物を作り、その刺激を情報として、把握、理解すべく、その削り取られた溝（シワ）は、そのままの型にして残し、再度同じ、筋神径連立体から、その同じ情報が巡廻されれば、これが、その様にして先に空けられている溝に込り込む時、脳は、筋中細胞が感じた物体が何んであったのか、記憶としてこれを思い出す事が出来るものであった。
【００７７】  その様に、人の脳は、より多くの諸道具を発明し、これら製作される道具にも大量のインパルス電子（神径）流を注ぎ込む必要のある時、膚細胞に夥しく散在する、ロドプシン畜発電されるインパルス電子量増大させるべく、体毛を更に消失させ、記憶しなければならない諸情報を増やす、大脳神径細胞を増やし続け、進化した時、平均、
【００７８】  １日２時間以上（コドモを除く）、必要以上に、体内に入ってくるパルス電子量を制限しなければならない必要が生じる時、人類は、人体裸体に丁度良い衣服を考案し、身に纏い続けるものになるものであったが、しかしながら、この巨大化した人類の脳の傍の顔面と、その文化、文明を支え続けて来た人の手先、足先、指先をする、脳筋連立体細胞には、常時、太陽パルス電子量を供給し続ける方が本件論文内容においては望ましい条件が成立し続けた。
【００７９】  この事から筆者は興味を覚え、実態調査の為、ボールペンと手帳を持ち、本件論の意議に添って、街中を歩き、老若男女を問わず、髪の毛の薄い人、白髪、ハゲている人々を考察してみた所、それらの人々の生活実態からは、夕方、甘味、若しくは、晩酌を欠かせず、運動が少なく、頭脳労働を用し、日々、ウマイ物を喰い、スーツ素形で、日がな一日中、素膚を露出する事の少ない人口密度に集中している事に気が付いた時、これらも、本件論文の考証論理に加えるべく、進化した新人類の素形ではないか？と考えられる所でもあった。
【００８０】  これらの事から、人類、人間界では、稼動時間８時間、準備時間８時間、睡眠時間９時間の合計２５時間が時間割り最良のリズム生活パターンにある様に、筆者が、
【００８７】  人間社会、衣装学（テオリーくん作）による「安全、見た目、利使用目的、利使用価値、使い勝手の良さ」を五原則を主軸とした未来型衣服を発明、考案する時本件論文を総ざらいに纏めてこれを発表するなれば、
【００８１】  その五原則を基いとして、人類、人間界において、人間が、いつまでも青少年の素裸が如く、フサフサした水々しい髪の毛と、柔い膚細胞を保持したいと望むならば、その一日に、人間、個人個人として、それぞれに与えられてある時間割リズムパターンの中にあって、稼動時間８時間中の１時間を日光浴時間に当て、朝、夕の順備期間中における３０分づつを平均して、１時間前後、これを日光浴時間に当てがい、その他の時間帯は、全ったく日光を寄せつけないスーツ素形を保持すれば、薄くなった髪の毛や、ガサガサになって、老化し続ける所の人体、脱毛症、シワクチャ膚細胞膚は自然と蘇生するままに甦生されるものとなるものであった。
【００８２】  筆者は本論文を書いている今年で満４８才であったが、誰れが見ても２３〜２８才の膚細胞と顔面を持っていた。
筆者が――であり、家に帰って来た時、お巡りさんから口情の電話が入いり、「お宅の息子のマコトさんが、お巡さんの言う事も聞かずに家に帰って行った。お父さんの方から注意して下さい。」との事であった。
「マコトは私です。」と答えたから話しがややこしくなった。筆者は４８才になってもダダっ子であった。
６０才になって、この顔をしていたならばさらに話がややこしくなるのではないか？と考える昨今であった。
筆者は、お巡りさんが巡回している上野公園近くの谷中の墓地で、「オバケ」を科学的に解明しようとして、おバケ狩りをやっている最中に起こった事件であった。
【００８３】  しかしながらこれだけの説話を本論文に提唱したのは、人類科学には、光粒子第一次爆発をする（：Ｘ）考え方が未だ無かったからであり、この考え方による、理論を用うると、現代科学では解明できなかった、数式を表わせ、現代科学では作れない物を単純な物から複雑な物に至るまで、作る事が出来るものとなったからであった。
【００８４】  それ故、実に人体をして、あらゆる地球のＧを躰に受けて棲息する生物達は、この光粒子を日々、躰の中心（Ｅ２＝ｎ）にある合力に吸収しているものである事をして、例い雷であれ、数式上、地球の球心（重力）が耐え得るだけの構造を持っている同等の構造を持っているものだけに、例い人体が雷の直撃を受けても、人体の中心で受ければ、耐え得るだけの構造をもっている事を知っていただきたかったからであった。（但し、これは、雷の威力を人体が直撃された時、これが、地球の球心に吸収されず、人体の中心（Ｅ２＝ｎ）に吸収された場合にのみ限って言える例えであった。（大西真実特許、出願番号２００４−    平成１６年２月２３日、全自動シートベルトを参考されたし）
【００８５】  これら太陽光パルスは、人体の中心Ｅ２＝ｎにある合力で、受けた後、その中心からニュートリノ、Ｔの型で体外に飛び出す時、超心理学者？達の唱える言葉「オーラー」を用いると堪だ都合が良かったので、これを拝借して、オーラー、θとする時、これが見えると自称する超能力者があるが、一般的には、人の目には見えないものであった。
【００８６】  一般人が、これを見ようとすれば、その光りの正体は、太陽の様な活性（燃性）星ではなく、地球、月を始めとする、不活性（不燃性）星の中心Ｅ２＝ｎにある合力が外き出した、青白い光、オーラー（ニュートリノ：Ｙ）であって、これら不活性星が光って見えるのは、太陽光線（水素爆発）パルスは発っした光の光影（インパルス）で見えるので、
2005325498.tif 000013
【００８７】  然るに全身から体毛を失わせ、塩と水の中の水素原子の元に光粒子を用いて、人膚が、蓄発電し、多量のインパルス電子を作り、脳中に供給している時、人の全身細胞の８０％以上を火傷、若しくは、古くの例え話しにおいて、コールタールを全身に塗り、仮装大会に出場した者が、２４時間前後で脳機能障害を起こして、絶命した事を考証的根拠に考えられる所であった。（人を２４時間水中に漬け置いても絶命しない。）
【００８８】  巷に、進化の過程において、人が頭部、陰部からの体毛を消失しなかった事は、植物の葉の性質にある、色素をこれに持たせ、これらは、動物体内に大量に栄養を必要とし、これに補給させる目的を持つ消化器系とは、独立して、光合性を行い、動物体（脳）中に、栄養素を作り出し、供給しているものである。と、筆者の科学研究グループは研究中であった。（大西真実特許、出願番号２００４−          平成１６年  月  日出願、「健康甦生保険歯磨き」参照されたし）
【発明を実施する為の最良の形態】
【００９０】  本件、論文をして、万有爆力の法則の元、摂氏４０００００００℃／ｃａｌを発っする太陽パルス、インパルス
2005325498.tif 000014
１細胞の大きさとし、Ａを大気圧とした時、人間の体面積を１７０ｃｍ２×３７ｃｍ２×１６ｃｍ２≒１０００００ｃｍ２とし、体表面積にある、ロドプシン細胞とする時、人体、蓄発電量は、４０００００００℃／ｃａｌ÷１０００００ｃｍ２
2005325498.tif 000015
【００９１】  人体は裸体においては、４０℃／ｃａｌ前後にある恒設温度（恒温）をして、大気温度（４℃／−１℃）の気まぐれさに晒され続け、熱さ、寒さを問わず、常にこの４０℃／ｃａｌ前後の体温を保てない時をするする、３６℃／ｃａｌを極単に下回わった時には、シバリング現象を起こし、体内においての、雷スパーク現象は無くなって、ロドプシン電子流はストップする為、死亡します。し、
【００９２】  又、反対に、恒設温度を大幅に体内に発生させた時には、自動的に雷スパーク現象が甚大に増え、ロドプシン膚細胞は酷使されるままにガサガサになって、これらの細胞は、やがて、塩と水を分離し、蓄発電力を失い、死亡量を増やし、老化させるままに皺を増やして、見た目の悪いジイさん、バアさんの素形に変貌し、体力を劣えさせます。
【００９３】  しかしながら、人、若しくは、類人猿の類いは、その脳筋、連立神経体径路を、顔筋と細かい仕草をする事、手足の連立体神経を最も発達させ、頭脳に通じさせているので、ロドプシン細胞が緻密に密集する、これらの部位には、どうしても大量の太陽光パルスを受注しなければならずに、もり、これらを覆い隠す事があれば、人の頭脳及び手指の神経経路が鈍くなる程までにも、人の顔面と人の手甲は、太陽光パルスを需注しているものであった。
【００９４】  それ故、これをする、理由は、人類の衣装学にある、五原則中の使い勝手の良さと利使用目的、価値の進歩が、甚だ送れていたからであり、本論文を理解する。必要なる時には、これをすぐに使用でき、不要なる時、これを外し、又、必要に応じては、速やかに身仕度できるべく衣装の開発（技術）が遅延していた、からであった。
【００９５】  光粒子は、一定の温度を保ち、温度や電子量に変換する他、水素、他原子と化合、分離し、別原（分）子に変わるものである。とする、本件論文にある、光粒子爆発理論（立証実験は、水の
2005325498.tif 000016
【００９６】  本発明品に水分を含ませた、指無し手袋、鉢巻、襟巻、腕巻き、用い、人体露出部に、一日二時間前後、これを外り外す事、調整して用いると夏期暑中、特にこれらの部位にあって、本発明品に含まれた保水、水分と光粒子が衝突し、電子爆発を起し、その際、昇華熱を奪い、オゾン層を本発明品のある部分一帯に発生させる為、鉢巻をするだけで、オゾン層が顔面全体に出来上がり、顔面部位に覆いを付ける事の必要性を得ず、人体の露出膚部の（ロドプシン）細胞全体を、ほぼ、防備する事ができる事となった。
【００９７】  然るに冬寒期においても、これら薄手生地で作られた本発明品を衣装の一環として用いる時、手、顔、襟首の保温が保て、特に手袋は五指全部を覗かせているので、脳筋連立体における、その神経機能を鈍らせるを併発し、イライラするままに取ったり外したりする事が殆ど無くなる新期、人類衣装の形態としては、最良の型であった。但し、手袋の手甲に当たる部分だけは厚手生地を用いる事が理想であった。
【実施例】
【００９８】  本発明品は、学生を始めとし、設計、製図、文筆業、事務職にある人々から、あらゆる広範囲に渡っての作業、仕事に携わる人々の入退社時間における太陽パルスを人体に需注する時間帯の他、屋内仕事中に、余計な分量の電子光線パルスを受けた場合、体温が上がり、油汗垢が、顔や指先に大量に出て、ノート、事務用紙、パソコンキーをやたら汚し、これらの手垢油が原因し、これがガンコに付着すると、エンピツ、ペン先の運びが悪くなり、手垢油でインキが滑って、文字が書けなくなるものであった。【００９９】  しかしながら反対に、本学説論文にある様に、日重な、一日中、背広、スーツ素形にガッチリと身を固め、パルス光線の人体需注率を下げるままに、激しく、頭脳労働をし続けると、脳筋連立体にある、インパルス体内電子量を減らすまま、酷使されるロドプシン細胞を活発化させる事となり、体内での酸化の間に合わない、酸性の強い油汗が、不燃されるがままに、これをする蓄発電量が、間に合わなくなり、その必要性に迫まられて、人体形を変形させる、頭毛を白髪化させ、ハゲさせて、それが故に、【０１００】  パルス光電子粒需注率を補い続ける時、本発明される着せ替えが簡便に出来る、袖無しジャケットの袖部をファスナーで簡単に取り、日に当たる事の少ない、腕部を二時間前後、日光浴させ、水分を多く含んだ、健康甦生鉢巻きをし、顔面部にオゾン層を作りながら、頭、顔面部の体温を下げてやると、ガサガサ膚、白髪化、油症現象は、緩和され、自然に甦生され治療されてゆくものとなった。【０１０１】  この学説に対する、動物実験、人体実験をする、最近の若者間で、流行する強い酸性薬品３日を頭毛に付けると黒髪が茶色、若しくは金色に変色する他、レモンの果汁等をこれに付けると、白髪化します。【０１０２】  髪を五分刈りとし、詰め襟学生服に薄手袋、鉢巻き素形をりりしく見せる甲子園球場で見られる学生応援団員達の素形は、見る者の目に快活感を与え、日本の旧軍隊にあって、将校を目指す若人達の完成した衣装の様にも、見えるものであり、【０１０３】  これらは、学生にあって、当時、高級品であった薄手の手袋、学生服をスーツの様に尊とび、下着のＹシャツも白光色を採する中、教鞭を取る教師の教えを受講する学生達のその姿勢は、今日の日本の繁栄を築き上げる者達と共に研究され続けて来た衣装を高度に追求されて出来た筈のものであったが、【０１０４】  だが筆者の考えは、違った。これらりりしく育ち続ける、学生、企業戦士等の身に付ける衣装は、この様に人体解剖学見地から見た場合、その余時間を見計らって、１日２時間前後、腕部や、襟部を簡易にファースナーを開ける事で日光浴の出来る未来形衣装に進歩し、改良できる余地がまだまだあり、それらの他の時間は、しっかりと、太陽、パルス電子から、身を守れる様にするには、本発明論文に附随する、図面の形状が望ましく、これらの物を実際に着用した場合、白髪化したり、頭髪が禿げる事も少なくなり、油症や垢の出かたも緩和され、治癒されてゆくものとなった。
【産業上の利用の可能性】
【０１０５】  現在世界的な不影気に各国が晒されており、我が日本国でも人々の努力も空しく、日進月歩でこれらは悪くなっていた。「何故であろうか？」と考える時において、一課題が与えられ、それらに、「公式が与えられ、解答が得られると、終わるものであった。
【０１０６】  筆者に、「不影気とは、何んであり、どうしたならば、これらは改善できるものでありますか？」と質問する者がいた。筆者は、哲学者でもあり、哲学と数式を用いて、これらに答えていた。
【０１０７】  「景気とは、影気と読む時、その言葉の意味が分かる。」と答えて後、即ち、「見る風景に対して影げりが生じると夜るになる。」の意であり、新旧交代時に多にしてこれは起こるものであったので、筆者は、この人の勧めもあり、科学者としての知識を用いて、発明家に転校し、これの救済に当たれれば幸いなりとして、多くの特許論文を残す事にした。
【０１０８】  景気とは、先進国、知識人等の知恵にある発明（産業界）が技術者（実業界）のこれを呼び起こし、多くの従事者（雇用界）に金品を環元させる事が出来、サイクル、運動を活性化させて起こるものであり、それをして、
【０１０９】  列強の先進国に威並ぶ知識人達をして、マンネリ化する知識、学問より、１％の教育する知識が進むと、現在の通貨価格を用いる所、１兆円の国費を無から有の生界へ生み出す事の出来る経済力学を持っていた。それ故、公式Ｅ２＝ｎ⇒Ｘ＋Ｙ＝Ｚを用いた時、
【０１１０】  即ち、影気とは、人類の資産をＥ２＝ｎとし、有資産力学をＸとし、無資産反動力学をＹとして、要素Ａたる起爆力を与えた時、Ｙは、Ｚの中に取り残されたまま、Ｘ２に替わり、Ｅ２＝ｎ⇒Ｘ２（−Ｙ）Ａ＝Ｚとなり、負債形体Ｙは、無形体を残したまま、資産Ｘの中に組み込まれ続けて稼働（バブル発生）するものとなった時、景気は改復するものとなります。（景気前進力学）
【０１１１】  簡単例で言えば、火種要素（−Ａ）を持つマッチが発明された時、人類全体の資産（Ｅ２＝ｎ）が生じ、−Ａｘ（−Ａｙ）の発展力学が生じる時、便利が良い利点がある（−Ａ２）の、進展力学（Ａ２ｘ−ｙ）はバブルを発生させる為、影気（Ｙ）を景気（ｘ）の形体（Ｚ）に変えますが、これらの発明がマンネリ化して、火種要素（Ａ）の発明価値が２０年過ぎて消滅する時、人類資産（Ｅ２＝ｎ）から、（＋Ａは）見離され、景気（ｘ）と影気（Ｙ）は釣り合って景気は、低迷する中、公式はＥ２＝ｎ⇒Ａ２ｘ−Ｙから、Ｅ２＝ｎ⇒−Ａｘ（−ＡＹ）に後退し、やがて、Ｅ２＝ｎ⇒Ｘ＋Ｙ＝Ｚに変わり終息してゆきます。しかしながら、これらにおける例えから、
【０１１２】  もともと、発明とは、マイナス要素（−ＡＸ）をもつものであり、火種（−ＡＸ）は、旧式の火打石を複括させる、低コスト、大量生産可能による、安全、見た目、便利、使い勝手、利使用目的の五大要素を得る１００円ライターなる、新発明とし、これが起こると、再びＥ２＝ｎにある、進展力学は、Ｘ＋Ｙ＝Ｚから、−Ａの要素を得て、−Ａｘ（−ＡＹ）に変わり、Ａ２ｘ−Ｙの数式の元、バブル経済を発展させ、国民、企業、そして国を潤し続ける事が出来るものとなった。
【０１１３】  この様に、科学にある、経済力学を、正しく、理解した時、これらを支持する、国はあらゆる会社実業界を、本科学式により、その磐石基磐を保障できる根拠とする事が出来、産業界にある発明者の知識の重要性に気付き、
【０１１４】  発明が偉大であれば、偉大である程、低コストによる大量生産が可能となり、それらに投資する投資家達も、科学式と哲学で構成された発明品が、普遍的位地にあって、磐石なものである事が理解でき、不変資本。−Ａが、必ず、＋Ａに変わり続ける原理を知る事と共に、発明は、古きを一掃し、破壊する躍動力を保ちながら、新しい物を無限に制産し続ける時、景気経済は、括性化し続けるものとなった。然るに、
【０１１５】  これをする時、筆者が産業界において、発明する物品の数々は、全てに渡って、全世界の科学者（知識人）よりも、常に１％づつ、前進する先駆的実力を持つ事を自負し、国益を常に１兆円づつ生産する事のできる発明家である創作論文を提唱する時、実業界にある企業投資家達は、これを信用し、貴重な持ち得る投資金を投げ打って、大勝負に打ち込む事の出来る信頼関係が生じる？本件発明品も又、産業上利用され、大ヒットする可能性の大きものであった。
【符号の説明】
【０１２２】Ａ１、市販されている薄手の汗をよく吸収する木綿等の五指、指先の第二、若しくは、第三関節部位を切削して、健康硬生保健手袋を製作する事を示す。
Ａ２、車等の運転中にはビニールのボツボツが付いていると便利である事を示している。
Ａ３、健康甦生保険手袋等を使用中、この手袋が乾いて来たならば、キリ吹き等水を使って湿らせる図。
Ａ４、市販されている腕輪バンド等を、ベルト通しに取り付けて製作すると便利を示している。
Ａ５、健康甦生保健手袋の手甲の部位にポケットを取り付け、これを上下二層に分離し、上層ポケット等には、チケット、定期巻を入れて見やすく使用できる様に透明とし、下層ポケット等には、保水性のある厚地布Ａ６等を入れ、人体、手甲部位をいつまでも湿らせ続ける事のできる工夫がしてある。
Ａ６、チケットや、定期巻等を示す。
Ａ７、保水性のある厚地布。
Ａ８、メモ帳。
Ａ９、健康甦生保健手袋の左右が紛失しない様に、面テープ、ボタンを付けてみた事を示す。
Ａ１０、ミクロの穴を開けた水嚢容器、専用のスポイト、若しくは、注射器で水を補給できる様にした物
Ａ１１、ミクロの空を開けた水嚢容器、専用のスポイト、若しくは、注射器。
Ｂ１、太陽光線パルスを遮断すべく、学生服等にある襟カラー等。硬質材質を表面に用い、額に当たる内面は、保湿性のある柔い布を用いて、中心部には、保湿性のある厚地布の之れを入れ、額の冷却に用いる事に使われる事を示した健康硬生保険鉢巻の全体図である。
Ｂ２、健康甦生保険鉢巻の表面にある硬質材料の表面には、細い通気孔を明け、通気性を長くする事を示す。
Ｂ３、人体、側頭部はタオル布地等で作り、髪留め効果や、えんぴつ等を挟み込むのに適し、転倒、衝突時の頭部保護に役立つ事を示す。
Ｂ４、健康甦生保険鉢巻の延び縮みを調整させるべく、伸縮性を之れに用いてみた事を示す。
Ｂ５、健康甦生保険鉢巻に面テープを付けてみた事を示す図。
Ｂ６、健康甦生保険鉢巻の中に、保湿布を入れて、出し入れする為に、これにファースナーと付けた事を示す。
Ｂ７、イニシャル、ワッペン等を示している。
Ｂ８、健康甦生襟巻にフリルを付けてみた所を示す。
Ｂ９、健康甦生襟巻にリボンを付けてみた所を示す。
Ｃ１、ネクタイ付健康甦生カラーを、健康甦生シャツの襟首に差し込んで取り付けた図を示してしる。
Ｃ２、取り替用ネクタイをボタンで取り付ける取り付け用ボタン。
Ｃ３、取り替え用ネクタイを、Ｙシャツに固定すべく為、襟カラーにゴム通し溝孔を付けている事を示している。
Ｃ４、襟カラーの内側に通気溝を付け、襟カラーの内側全体に通気性の良い布を張った図。
Ｃ５、Ｙシャツ、若しくは普通に、市販されているシャツの袖部をファスナーを用いて、取り付け、取り外しが自由自在となる様に工夫された本論文目的を持って考案された未来型シャツを示している図。
Ｃ６  普通に市販されているシャツと同じ生地布を用いて、腕カバー、腹巻きを製作し、いずれにも切断ファスナーで、取り付け、取り外しが自在となる省エネルギー服装にも役立つシャツであった。
Ｃ７  健康甦生保険シャツと健康甦生保険手袋を縫い合わせ、合体させて製作した腕カバーの図。
Ｃ８、スーツの間において、太陽光線粒子、パルスが、胸元に侵入して来ないで済む様にネクタイで、それを妨む事は有意議であったが、本考案ネクタイを製作すると、余分な襟回わりのネクタイに用する生地の節約が計れ、経済であり、余分な生地布でもう一本ネクタイが作れる様になり省エネにも役立つ事を示してした。
Ｃ９  インパルス、シナプス電子を発生し、貯蔵する携帯電話のバッテリーを人体、胸ポケットに入れ置きやすい場合、夏場大量に汗をかき易く、これを吸湿させ、ダメにしやすい他、心筋発生の筋、脳電子交流体係に、必要以上の電子流を、これに流出、入させる事、悪影響を及ぼし易い為、これを、腕時計を腕に取り付けて置ける様に、本発明品の健康甦生手袋の手首バンドに付けて置く事の良い様子を示した図。
（大西真実、特許、多目的用途収納ケース、出願番号２００３−３２９０８、及び出願番号２００３−４３６３０８兜型ヘルメットを参照されたし）
Ｄ１  人体上腕部の全て覆い隠す事が出来る様に、製作された、布製の腕カバー
Ｄ２  人体下腕部の全て覆い隠す事が出来る様に、製作された、布製の腕カバー
Ｄ３  腕カバーと健康手袋をファスナーでつなぎ止められる様に、取付外し自在ファスナーを付けた上腕。腕カバー。
Ｄ４  上腕、腕カバーと、下腕、腕カバーをつなぎ止められる様に、取付外し自在ファスナーを付けた下腕。腕カバー。
【図面の簡単な説明】
【図１】 
【０１１６】  健康硬生保険手袋の全体図であり、利使用目的を強化させるべく為、小間物入れポケットを、多くこれに取りつけ、本発明品が衣装、衣服の一環である事を、利使用者に強く印象付ける為、ベルト通しとベルト。ボタンをこれらに多く取り付ける工夫がしてある図。【図２】 
【０１１７】  健康硬生保険手袋の全体図であり、利使用目的を強化させるべく為、小間物入れポケットを多く、これを取りつけ、本発明品が衣装、衣服の一環である事を、利使用者に強く印象付ける為、面テープＢ２、イニシャルを取り付け、利使用者に強く印象付ける工夫がしてある図。【図３】 
【０１１８】  健康硬生保険襟巻きの全体図であり、利使用目的を強化させるべく為、小間物入れポケット、イニシャル、ワッペン等他、ネクタイをこれに取り付け、本発明品が衣装、衣服に一環である事を利用者に強く印象付ける為の工夫がしてある図。【図４】 
【０１１９】  健康手袋のすそ部分に、ベルト通しやベルトを取り付け、本発明品が、衣装、衣服の一環である事を利用者に強く印象付ける為の工夫がしてある図。【図５】 
【０１２０】  スーツで仕事をする紳士達がその職場で、スーツを脱いで、Ｙシャツの腕まくりをする様なみっともない真似をしなくとも、昼、稼働する８時間のうちの１時間Ｙシャツに取り付けられたファスナーを外す事で、これらシャツを、半袖シャツにする事が出来る事を示した図と、これをして、普通の上着類にも【０１２１】  未来型Ｙシャツでは、詰襟型Ｙシャツを主流とし、これに、学生が学生服の襟カラーに使う、カラーを、Ｙシャツに用いるべく、これに取り付けるべく工夫を成し、これを用いて、人体襟首における露出部を覆い隠し、直射日光が、これに照射しない工夫がしてある事と共に、Ｙシャツの襟首が垢にて汚れない他、襟カラーに仕組まれた溝孔にゴム、紐、等を通して置き、先端にボタンを付けて、日替りネクタイを楽しめ、取り替えられる工夫がしてある事を示した図。【図６】  大西真実、別特許、多目的用途収納ケースを腕バンドに取り付けた図を示しています。
【図７】  夏期、半袖シャツ素形にある人体、腕部の裸体を覆いたい時に、用いると便利な腕カバーの図。
【図１】
2005325498.tif 000017
【図３】
2005325498.tif 000018
【図４】
2005325498.tif 000019
【図５】
2005325498.tif 000020
【図６】
2005325498.tif 000021
【図７】
2005325498.tif 000022
【手続補正書】
【提出日】平成17年2月15日(2005.2.15)
【手続補正１】
【補正対象書類名】明細書
【補正対象項目名】全文
【補正方法】変更
【補正の内容】
【発明の詳細な説明】
【技術分野】
【０００１】  太陽光線、パルスを人体に浴びる事は、健康に良い事であったが、必要不可欠以上に、これらの光粒子を浴び続けると、人体膚細胞の新陳代謝が追い付かず、膚細胞が弱体化し続け、老化現象が始まり、本論文内容に準じ、白髪、脱毛症をも併発する事実が発見され、【０００２】  従来にある主だった技術では大陽光線パルス中にある紫外線をのみ敵視する他、現、先進大国にある豊食、豊饒の現状を弁えず、人類は、膚細胞構成物質を作るコラーゲン摂取不足にある栄養失調が原因すると、履違える考え方から、膚荒れ、老化現象を招いている等と＿＿、未熟で進歩しない現代科学がある時、【０００３】現在、現代社会人の日常茶飯事にある定説となって、多くの企業体、投資家が、これら科学を信望し、多くの投資金を排出し続け、一般大衆に
2005325498.tif 000023
【０００４】  筆者が、解賠学の見地から発明した物品等の数々を本件論文の内容に従って使用した場合、人体、裸体部における膚細胞の弱体化を押え、即に弱体化し、老化現象を起こし、皺を起こして死滅し続ける（ロドプシン）細胞、頭髪等も蘇生させる効力を持ち、装着時最初はウットウしく、気になりますが、慣れてくると、装着していなければ、気が済まなくなる程、具合の良さを感じる技術力があるものであった。膚細胞が甦えってくるからであった。【０００５】しかしながら、人は（頭脳労働）作業をする際、人体は、多くの（大陽）光電子エネルギーを代謝量として、必要とする時、顔面のみ露出されていて、その受注が間に合わなくなると、電子発電量が追い付かなくなる仕方の無い理由が生じて、防御反応から、老若男女を問わず、頭部から頭髪を損わせ続ける（若）ハゲ現象が生じる時、これを防ごうと思われるならば、仕事（作業）中、猛裂に頭を使う時には、Ｙシャツの腕めくりをするのもみっともなく、シャツ腕部に割り切りチャックを付け、シャツを半袖として、仕事（作業）に望む時、この技術力により、ウルサイ上司は黙認し、省エネ効果を生み出す効果があり、腕部にあるロドプシン細胞での光粒子発電量代謝率を助ける事となり、これをしての、若ハゲ、若白髪現象の促進を押える事となるので、本発明品を以って着装した場合、若ハゲ、若白髪の促進を押える事が出来るものとなった。（即ち、光粒子が多過ぎて、水分や栄養分が主に足りない時、白髪化現象が起こり、光粒子が足りない時、若ハゲ現象が起こる場合が多にしてあった。）それ故、
従来にして、出し尽くされ続け、あらゆる旧体科学（産業界）を基いとし、それら技術力（産業界）によって考案され、産出され続けて、定着している衣類、衣装に併用と、組み合わせて用いる時、省エネルギー対策に効を得、人体、毛髪、襟首、顔から多量に発生する油症による、垢やフケ、痒みを押え、タオル、衣類を臭くさせず、襟元を汚さぬ他、作業（仕事）中のノートや事務器機用品を汚さないで、これに従事する技術力を要しているものであり、抗議される、最近、急速に一般市民の間に増え続けて来ている。車両運転中に、かかって来た携帯電話の之を取り、本発明される健康甦生保険鉢巻の耳部にすぐ様挟み込んで目と両手を疎そかにする事なく、受信ボタンを押すだけで、これを運転中に使用できる技術力を併用しているものであった。
【背景技術】
【０００６】
【特許文献】２００３−４３６３０８、兜型ヘルメット参照されたし、
【特許文献】２００３−１４６９９４、必ず眠れる枕
【特許文献】２００３−３２９０８、多目的用途収納ケース
【特許文献】２００４−６４７８６、危険業務中居眠防護具
【特許文献】２００４−１１１６１２、全自動シートベルト
【特許文献】２００４−            ナマハゲくん
【特許文献】２００４−１１０５６２  笑う佐藤さん
【発明の開示】
【発明が解決しようとする課題】
【０００７】  筆者がまだ小学生であった頃、先生が人間にとって、生きてゆくのに一番最初に大切な物は衣服であり、二番目に食べる事であり、三番目に家が必要である。」と教えてくれた事があった。【０００８】  コドモであった筆者は、三位一体にあり、この哲学論にある論理に対して、家を持たず、公園のベンチに寝泊まりしている浮浪者を見ていて、家が無くとも人間は生きていけると思ったが、食と衣服は、一体どちらが先行して大事な物なのか、後々、真剣に考え続けた事があった。大人になってからもそうであった。課題となった。【０００９】  原始に生きる裸族的人間はその衣服を必要としてはいなかったからであった。筆者は、【００１０】  原始裸族には、文明（文字）こそ持たないものの、絵を書き、それを住み家とする家を持ち、生活している事実がある時、この完成している筈のギリシア哲学は、そのままにして、解賠学を基いとして、これを再吟味しているものであった。本発明品健康手袋を公表したかったからであった。【００１１】  人類、ホモサピエンスは、現在、地球の覇王であった。しかしながら頭部、他において、これを除く、全身、その全てが裸体となっている。何故であろうか？諸説紛々なる学説が、この世にあったが、筆者は下記から示す如く、解賠学的見地を用いて考えていた。そして、これしか無い。と考えていた。【００１２】  人は胎児からの発生を解部のプロセスから鑑みると人の胎治は、鰓、尻尾を持ち、手足に鰭を持ち、やがて、それらは消滅して、一個のホモ、サピエンスの形成を得て、母体から世の中に出て来るものであったが、【００１３】  この発生段回で、基体となる父母に強い心理学的な衝撃を与え続けると、胎児の心理、体調、体型に変化（奇形、若しくは、突然変異）の兆候が表われる事は、人類学、奇形発生進化説等においても、多くの報告がある。しかしながら本題はそこでは無い【００１４】  一例を揚げると、人の生活、環境が生死にかかわる程重大であって、悪条件が整い、仮りに人が海にとり囲まれて陸地での生活がむつかしい場合、次世代鰓を持った新生児（エーリアン：奇型児とは呼ばない。）が、１０万分の１の割り合いを超えて集団で生まれる場合がある。けれども尚も本題は、そこでも無い。（２００５−    「ｕＦＯＩ型機参照）【００１５】  課題を本題に戻す。人類は現在、海にも、陸地においても順応できる欲ばった体型デザインを選んで裸のサルとして地球上の覇者、覇王となっていた。（猿は、人間に近くなると、顔や躰から体毛を失う。）【００１６】  しかしながら、それらは何も人類に限った事ではなかった。カモの様な水鳥では、布団の様な羽毛を躰に持ち、空を飛ぶ羽根を持ち、敵に襲撃されづらく、エサの豊富な、水陸両用を行きかうのに適し、便利な脚を体型デザインに選んで、地球上に栄え続ける事が出来たものであった。【００１７】  筆者の研究グループは人類に近い、オランウータン、チンパンヂー猿の頭部を除く、全身体毛を取り除き続け、人間の子の様に、これに衣服を纏わせ続ける実験を３０余年に渡って続けた所、いずれかの猿においても、脳機能障害を起こすものとなり、早死にを強いる結果を導き続ける事となったが、その子孫に隠部を庇う者も出た。（旧約聖書、創世記第３���。「人は我々の様に善悪を知る者となった。」）【００１８】  この実験の目的は、人類の知能増大に並行して、体毛を失い続けて来た人類、体系デザインに際して、その因果関係は、解賠学見地から、その進化の過程において、並外れて進化し、巨大化した、人類の脳に供給し続けなければならない、パルス（大陽光線）電子の供給源（「必ず眠れる枕」平成１５年４月８日、特許、出願番号２００３−１４６９９４を参考にされたし）をして、これらは、人類の全身膚にある、ロドプシン細胞（細胞バッテリー）に求めたからであった。【００１９】  分かり易く言うと、人体をする解賠学、脳筋、電子流連立体係は、人の脳に４４億個の活却性ロドプシン脳細脳があったとして、
2005325498.tif 000024
在って、神経一本一本により、これを伝通する連立体系の元に、電流子間のやりとりをする神経が、これにある時、【００２０】
2005325498.tif 000025
大脳：大脳皮質（ソフトウェアー）に送り返し、人は昼仕事８時間をしますが、やがて夜るが来て、眠りに付くと、その集め
2005325498.tif 000026
（シナプス電子はα波で読み取れる）を発生する就眠中の旧脳、海馬（ハードウェアー）に集められる時、記憶の原型を保持する海馬の中に、余計な情報が入らぬ様に、大脳（新脳）をβエンドロフィン、若しくはメラトリンをする覚醒物質で、しっかりと、麻痺させておかなければならぬ現象が起こる時、これを一般用語で「眠り」と呼ぶ。（旧脳海馬に余計な、新脳情報が入いると脳間絶交（精神分裂）症を引き起こす原因となったからであった。【００２１】  そして、就眠中において、海馬（ハードウェアー）を通して、大概の記憶体系（同系記憶）は整理されると、レム周期率に合わせて、大脳覚酔βエンドロフィン物質を残してメラトリン覚醒物質が減少するに合わせて、大脳はインパルス
2005325498.tif 000027
は、β派として読み取れる。）として、配布され続けます。（βエントロフィンは、海馬と、中枢神経大脳の活発制止のニュートラル済となる。）【００２２】  この時、人、動物は夢をみます。夢は臨床心理学体系を編成し、脳機能状値を計れるものとなります。【００２３】  しかしながら、そこで問題となるのは、これ程までに拡大、肥大した人類の脳細胞と筋細胞を緻密且つ綿密に伝通する、８千億個もの細胞との意志疎通（考証論理は、大脳皮質像）を計る電子容量をして、インパルス電子をＸとし、シナプス電子をＹとし、その容量をＺとし、公式Ｘ＋Ｙ＝Ｚとした時、Ｅ２＝ｎは人体全容の電子容量となり、【００２４】  このＺをする光電子流容量を畜発電し、人体、脳筋神経路に供給できるものは、人間の躰から、頭部を除（理由が有り、後説明）き、全身の体毛を取り去って、その膚細胞に散在するロドプシン（大陽光自家発電）細胞により、光粒子を光電子粒子に変換させて、インパルスＸを用いるより仕方が無かったからであった。【００２５】  自ずと人類は、全身から、他の動物等が選ばなかった。体毛の全てを取り除き、失わせる進化の過程を辿る事になったものである。と、筆者は、「人類脱毛裸体進化説」を独持に打ち立てるものであったが、特に、前頭葉、脳に近い顔面部と、それらを発達させ続けた人の手指、手甲をする脳筋連立体には、体毛があってはいけなかった。（特願２００４−３１４７９６、盗聴コンウィルス防止器参照されたし）【００２６】  同様の事において、今から遡る事、数億年から、数十億年以前をする、特にジュラ紀、白亜紀におけるまでの間、地球上の覇王となり、君臨した恐竜達、爬虫類も、生存権拡大を計るには、短期間に頭脳中細胞ではなく、全身無限大を計るべく選択を最良として、その躰には、体毛を持たないデザインを躰中において、選択したものである。と筆者は推意するものであった。
然るに、これらは特許論文となった。【００２７】  この事から人類におけるコドモ達も、短期間において、決まった年代におき、人生を生き抜く為の年数分だけの知識と知恵を、その脳容積が拡大する期間内に収得しなければならず、それらを、その時期に収得できかねる者は、不利益を被る他、人間、間における協調生活すら出来ぬ事（引き籠もり、派閥内つま外き現象）となったからであった。悪く言えば死を表わす。【００２８】  では、何故、人類は体毛を全身から失って、光粒子を全身に浴び、膚細胞バッテリーにより、多くの電子粒を、人体、脳筋体に供給する事が出来る有利な条件が備いながらも、その裸体を隠すべく、衣服を纏うのか？  という、次なる疑問が生じる時、その理由は、【００２９】  人間が一日の稼動する脳筋体に供給する光電子量は、一日二時間前後で十分だったからであり、主に風呂に入って、全身裸体を剥き出しにしている間に、電灯における光粒子でも充分に、膚細胞中にあるロドプシン細脳は、人の躰の内にある脳筋連立体に必要なる光電子粒に変換して、既にこれに畜電しているものであった。【００３０】  話しを分かり易くする為、例えを使うと、現代２０００年の世に入ってから携帯電話という物が急速に普及し始める為、この携帯電話に付随する、バッテリー他、車両にあるバッテリー等を例えに揚げて、充電量が少ない時、これをバッテリーチャージャーにかけた時、どんなに畜電量が減っていたとしても、健康体のバッテリーならば、二時間も充電器にかけていれば、すぐに充電してしまう事に似ていた。【００３１】  人体ロドプシン細胞の畜発電現象も、これと全ったく同じであり、必要以上に過充電し続けると、バッテリーは体調不良を起こし、分離現象を起こし、塩を吹き出し、やがて死んでしまいます。【００３２】
【課題を解決する為の手段】
動物実験において、人間より脳容積の遥かに少ないチンパンジー、オラウータン猿類の他犬類からその体毛を全て取り除いて、人間の子と同じ様に衣服を着せて、育ててみると、彼等が持つ、脳筋、連立体のアンバランスを来たす、必要以上の光粒子を、その膚、ロドプシン細胞に招く結果となり、やがて、脳機能障外を併発し、短命寿命の元、絶命するものとなった。一時流行したプードル犬から、猟目的の為、その体毛を半分削り取った場合や、羊等の体毛を剃り取った場合には、絶命危険を脅かされる為、急いで自体体毛の複起を促し続けますが、それ以外の目的で、これらの者達の体毛を剥ぎ取り続けた場合、脳機能障害の元、絶命するに至っていた。
（脳機能障害とは、人間で言う、日射病と全ったく同じ物である。）
【００３３】  そして、水性動物においては、その躰からすっかり体毛を失っている、イルカ、シャチ、クジラ等においてはその全身裸体に、あり余まる太陽直射日光パルスを照射され続けている不具合があっても、水面においては、第一次オゾン層がこれに発生し、動物体に有害な、大陽光を処断し続けてはいたが、これらの動物等
2005325498.tif 000028
食する事に使用し、又、躰に付着する、寄生虫の駆除に用い群れを成し、仲間同志で助け合って生きているものであった。
【００３４】
2005325498.tif 000029
畜積されたロドプシン細胞を水中に常時、吐き出し続け、付近を泳ぐ魚を弱らせ、捕食するが、これが体内に貯まり過ぎると一瞬にして、４５００〜６５００Ｖに近い畜積電子流を発っする。と言われる。
【００３５】
2005325498.tif 000030
進む時、この様に体内素皮に大量の畜発電する動物等では、これを体外にうまく排出できない時には、脳機能障害（動物体内に必要以上に光電粒子：磁力線を貯めると自律神径失調症）を起こし、鰻、鯰類の魚類では、これが躰に貯まらない様、激しく動き廻わり（逃避行為）ます。人体は靴を履くので、鈍感になっている。
【００３６】  それ故、人類、人間においても、一日二時間を径過する、全身日光浴は、本件をする解賠学的見地から言って、脳筋連立体進化説を提唱する、（但し、そこに汗をして、水が在る時には、本件は適用されない。）危険なものであり、これをする、脳機能障害：日射症を併発する事となったからであった。（大西真実、特許、出願番号２００３−４３６３０８兜型ヘルメット参照されたし）
【００３７】  これらの事から、筆者が解賠学見地を主体として、完成されたギリシア哲学における、哲人達が唱えた人類、人間にとって、衣、食、住における、見地を考察する時、この論理は正しかった。と解されるものとなった。
【００３８】  例外として、パプアニューギニア等奥地に今尚、原始裸族として、生存する原始民については、我々文明社会人が不要の物として常に全身から取り除き続ける垢の着き方が違うものであろう？としか、今の所、考えてみようが無かった。まだまだ未解決とする筆者の研究課題となり、迷でった。（大西真実、特許論文２００４−      平成１６年３月２４日出願「ナマハゲくん」を参照されたし）
【００３９】  しかしながら、本件課題を現状に戻す時、中高年、老人等を裸にして、その裸体を公衆浴場で見ると、日々衣服を着ている所は、青少年の裸体細胞に見られるその美しさとさ程に変わらぬものであったが、日々衣服を身に付ける事の少い、顔、襟首、腕、手足の甲となると、そういう訳にはいかなかった。（垢の出方も多い。）
【００４０】  顔の皺を見て、人の年令が分からなければ、手の甲、若しくは襟首にある皺を見れば、人の年令が分かると言われる程までに年令を重ねた人間の膚細胞は、緩み、皺となって、歴然と表面化したものであった。
【００４１】  １日２時間以上に渡って、不必要なる太陽光線パルスを浴び続けた手甲、腕、襟首における（ロドプシン）細胞が乾枯死んで、その蘇生が及びつかなかった成れの果ての素形であった。髪の毛も、細胞の変形物の一つであった。
【００４２】  人はいくつになっても、青少年の様に若々しく、水々しい膚細胞を持ちたいものであったが、これらは、俗に人々が言う「知らないうちに生じる老化現象」と呼び、どうにもならないものである。と半ばあきらめ半分にあるものであったが、どうしても、これに執着する人々の中には科学者もいて、本件科学論文にある根拠を採らず、未だ手探り状態に有る中、
【００４３】  これらを防護すべく、ｕｖを因果原因とする、ｕｖカット装備品、薬済、はたまた、コラーゲン入り栄養済、美容入液済を試するに予念が無く、研究され続け、労を費やすが、課題をして、的を得てはいないので、大概効果は無かった。その理由は、
【００４４】  現代、体細胞の少ない細菌、微生物に、波長の短い紫外線パルスを照射し続けると、これらの殺傷効果がある旨による動物実験から、人間の細胞もそうに違い無いとする、ドグマ学説が、定説となり、若返りを志ざす、投資家達の、投資の無駄使いに拍車をかけていたからであった。しかしながら、
【００４５】  そこで考え出されたのが、本学説を基軸とした、ロドプシン細胞乾枯死説を主軸として、物事を考える時、プリズム光線、赤外線、紫外線パルスも人体には一切無害であり、１日２時間以上の太陽光線パルスを人膚細胞に浴びなければ良い。と、本学説は解説しているものであり、人の垢の発生メカニズム、抜け毛のメカニズムも妨御システムの一環であり、ロドプシン細胞を消失した物を不要として、身体から除外する植物の枯れ葉が抜け落ちる現象に以ていた。
【００４６】  人体実験では、――――――――――――――――――――――髪の毛を剃髪し、１年間スキンヘッドとしていて
2005325498.tif 000031
であった。（厳重注意：筆者は、本論文の意議の分からない頃の実験であったが、幼少期のコドモの頭部には例い帽子を被せていても、本論文の意議にある脳機脳障害を起こす原因となるので、してはならないものとする。被験者、大西真実。）
【００４７】  そして、１年後、髪の毛を正常に延ばしてから、１年間径過して、再び、スキンヘッドにして状態を見ると、正常にあるきれいな膚細胞に戻っていた。頭皮垢の出かたはその間において、異常なものであった。ここにおいて、本件、健康保険衣装類の意議が発生した。
【００４８】  摂氏４３００００００℃／Ｇの太陽のパルス電子が発っする光粒子（電子）は、人体が持つ、ロドプシン細胞内に発生する摂氏−４３００００００℃／Ｇ（地球の球心が持つ真空温度と同じ）内に発生し、地球の球心が持つ《Ｅ＝（−２２）⇒万有爆力の法則⇒Ｘ＋Ｙ＝Ｚ》磁力に引かれ、衝突し、緩和され、水分子と反応し、オゾンを発生させる時、あらゆる生物体皮膚表皮は、光粒子代償温度から保護されるものとなる。汗かき現象であった。（大西真実、特許、            出願日、平成  年  月  日出願、ＵＦＯＩ型推進出力器を参考されたし）
【００４９】  分かり易く言えば、光粒子は、水原子と衝突する時、あらゆる代謝物に変わるものであり、植物の光合性をその一例とし、光粒子は、同出力数の電粒子に変換し、光粒子は、同出力数の熱量（ｃａｌ）に変換し、他原子が、そこにある時には、これと結び付き分子へと成長させてゆくものとなる時、大義の意味から、動植物は、空気中炭素と水を用いて、必要な栄養素を得る事が出来るものとなった。
【００５０】  然るに、光粒子は宇宙空間を進行する時、何んら影響を持つものでは無かったが、水素原子（Ｈ）を得て、これに衝突する時には、同出力の熱量（ｃａｌ）に変換するものであり、（立証実験は、宇宙空間にある水素原爆とする。）宇宙空間で爆発した時、水素爆発は、光粒子を再変換させ、新たに光粒子、パルスを作り出し、宇宙空間に飛び続ける原動力となり、これが地球に届く時、
【００５１】
2005325498.tif 000032
（Ａは大気圧）≒４℃（人体４千億個の１ｎｍ２にある、１細脳が瞬時に受ける光粒子の質料を表わした式。）の変換熱量を生み出し、水素爆発現象を引き起こします。これが、俗に言われる雷現象であった。（雨水が光って見えるのは、この原象であった。）
【００５２】  雷は、４０００００００℃の温度を電粒子４０００００００Ｖに変換したパルスの素形でしか無かったが、この時の雷の持つ爆発温度ｃａｌによって、水素原子は外き飛ばされ、酸素原子３個は強制的に化合させられる時、ニュートリノ（Ｔ）を除く、第一次爆発をして、オゾンを発生させ、地球生命体、大気を安定させますが、安定し続けるオゾン層に、
【００５３】  現代の大気汚染を称して、ＣＯ２をする燃性物質が入り込み、オゾン層を作り続ける、雷パルス（光電子粒）のスパークに、触れた時、摂氏１００℃で、あらゆる構造分子に含まれる酸素Ｏと反応する時、現人類が利用する、酸化第二次爆発説をする、１００℃における第二次酸化爆発を起こし、発火し、火種を残して、周囲に有るオゾン３θの酸素を吸収し、これに反応する時、変体型となるオゾンでは、窒素Ｎを取り込んで光化学スモッグ等を作り出し、堪しい時には、多くのオゾンＯ３を取り込んで酸化大爆発（水蒸気爆発）を引き起こし、オゾン層一帯を消失させる事もあった。（これらは特許論文となった。）
【００５４】  それ故、これだけ大量の電子力量を常時、畜発電し、これを人の巨大化した脳筋連立体に提供し続ける人膚細胞バッテリーでは、仮りに、その人が、そこで、瞬間的に死亡した場合を例にとった場合、その死亡者の脳筋連立体では、そこに貯えられた多量の電子量は、需給、需用の場を失い、迷送し始め、「迷い」
2005325498.tif 000033
「憑依：口よせ現象」があり、その肉身が死亡者の他意識を継ぐ事は、心霊科学現象において、あり得る事となります。立証実験では、万有爆力の法則の元、電磁力が、光粒子に変換する時（水素必要）そこにカメラを照準する時、必ずしも人型の幽霊は、科学的に、そこに映像されるものとなります。昔から霧や、雨上がりの時期に幽霊が多く目撃されたのは、この由似に有ります。（大西真実、出願番号２００５      号、ＵＦＯＩ型機、幽霊撮りカメラを参照されたし）
【００５５】  しかしながら、本件を解賠論理学を用いて、近代医学を考えた時、分かり易く言えば、人が仮りに事故に遭って、その手、足を切断して失った場合でも、人の脳筋連立、電子ワープ現象体系学において、この様にして、人が、手足を、すっかり失ってしまった後の場合においても、その失われた部分における、電子力ワープ線（神径）は、肉体神径径路を辿る必要はなく、記憶された、元の肉体部位神径径路に正確に残って（幽霊現象）働き続ける事が出来た。
【００５６】  事故で、右腕を失った人が、病院で、意識を取り戻して、腕の無い事に気が付いて、病室内を探し廻
2005325498.tif 000034
残って、右人指し指がかゆいのに、これをかく事の出来ない、不思議さを、医師に訴えているのに以ており、
【００５７】  故に、本件、学説を逆説から掴らえると、人体が五体満足にあって、頭骨内に在る脳神径細胞が死滅（脳死）した場合でも、人体の五感体が満足に存在していた場合、脳筋連立電子ワープ体系は完成しているものであり、このワープする電子力線のみは、例い、脳神径細胞をする肉体を失っていても、その患者の失われた脳機能細胞があった場所を正確に辿って、径由し、脳筋連立神径に、あらゆる諸情報のこれを伝達し続けます。
【００５８】  この脳筋連立電子流神径体系を体系付けた学説は、未だ医学会には報告が無いので特許論文となった。
【００５９】  然るに、仮りに脳死患者を前にして、無知の元、「身内、親族の許可を得たから遺体にメスを入れ、これを切り刻み、解体し、移殖手術材料にして使う。」などと言う言葉を発っして、これを言えば、この患者の耳、鼓膜が作動
2005325498.tif 000035
する時、この、筋機脳神径細脳は、失われた筈の脳機脳神径細胞と全ったく同じ、機脳体に形成され複元されつつ、患者に拒絶反応がある時、
この植物人間化した筈の患者は涙を流す等の生体反応を示す所となります。
【００６０】  それ故、「脳死」した患者を絶望の元「脳死」を「人間一個人の死」と決め付けて、現代の医学会は、これを定説としている考え方は、絶対に容認してはいけないものとなります。それらは、
【００６１】  胃癌病の元、胃その物を切除し、胃を失った患者の食道が、捐失した胃機能を再成するのに以て、養生時間は、多分に必要とはするものの、
【００６２】
2005325498.tif 000036
連立体においては、失われた脳機能細胞の一部を複元し、蘇生させて、植物人間化した人を甦成させる事ができたからです。
【００６３】  立証論理では、事故に遭い、植物人間化した人が、手厚い看護の元、七年間の年月間を養して、朝、目が冷めて、起きる者の如く、起き出して、いつもの日常生活をしだした。という報告例がいくつもある様に、この患者の脳をＣＴ．スキャナーを用いて、覗いてみると、植物人間化した、事故当時のままに、その部分の脳細胞は死滅し、欠捐したままであっても、不思議と本件学説に掴える所、人体五体の、脳と連絡を取り合う、筋機能体細胞のいたる所から、人体頭部に表われる筈の脳波が表われるものとなっていた。
【００６４】  この論理学を実体で表わす時には、古生代生物（ジュラ紀）における恐竜、ステゴザウルス等は、解賠学的見地において、肉食恐竜達から身を守るべく刺のついた尻尾を激しく振り回わさなければならぬ必要に迫られ、欠捐するに等しい少脳容積脳を捕うべく、尻尾の筋機能神径矯正を計る為、この筋機能神径の増大を計りやがて、脳波を発っするまでにも、神径根（脳）をこれに発生した実例にもあって、筋機能神径は脳に変形し、硬生するものであった。
【００６５】  そうしてみるとエネルギー革命から発明され、人間の道具として作られた、車両等は、やがて、その技術の向上に伴って、神径の行きかう人間の手足の如く、動くロボット化する時、これを事故、その他の理由で失った時には、人は、「我が身をして、血の行った、手足を失った様である。」とまで言う様であった。
【００６６】  ところが、これについても、本件論文において、本件発明の効果を分かり易くする為に、課題に揚げる事にした時、
【００６７】  即ち、人間の躰からは、前記される一日の稼動をするのには、必要な、大陽パルス電子を体内に取り込み、その細胞で、畜発電し、これをインパルス電子に変えて後、シナプス電子力に変えるオーラーが出ているものであったが、この電子流は、主に目からの出し入れが、主流であったが、（大西真実特許、出願番号２００３−１４６９９４、「必ず眠れる枕」を参考されたし）
【００６８】  特に、手足全体からも大量に出ている時に、この電子力線は、ハンドル、クラッチ、ブレーキー、レバー、ギアーを伝わって、順次操従される車両の細部に至るまで出力されては、シナプス電子として、出力し、人体に環元され、又巡行し、入出力を繰り返すものであった。
【００６９】  例えがよく有りませんが、大型ダンプカーの運転手においても、普通車両運転手においても、動物の死体が道路上に転がっているのを轢いた時の感触は、これを以って、タイヤ、ブレーキ、レバー、クラッチハンドルに順に伝わって来て分るものです。
【００７０】  そして、滑り易い、アイスバーン、道路上にあって、後部死角位にコドモが歩いているのを見る時、これらの運転手等は、人、体内にある、インパルス電子をフルに出力（神経を使う）して、巡廻させ、運転車両の全身に至るまで、自身と車両に神径を同化させ続けて、危険物（コドモ）に車体がぶつからない様にして、危険の回避を計り続けた場合、
【００７１】  この様に、自分の愛車に自身体内のインパルス電子（神径）を行き、張り巡らせ続け、車両を自体と同化させて、走り続けるドライバーがあった場合、それらは、既に自分の躰の一部と同じ物になっているものであり、こすれて、かすり傷等が、そこに付けば、自分の躰に傷が付いた様に、心に痛みが走り、自分の躰と同じ様に奇麗に保修しようと心がけるものとなった。（ＵＦＯなる飛行体の操縦部は、この様になっていた。）
【００７２】  技術者が持つ、バット、グラブ。昔のサムライが持つ刀。大工の金鎚、カンナ。板前の包丁。音楽家の持つバイオリン等々と例えを揚げれば、キリが無くも、全てに渡って同じ事であり、これだけの例えを用いなければ、今までに無かった発明科学とは、保守科学の概念から、容易に受け入れられなかったからであった。
【００７３】  この様に、人類は、優れた道具を作り続ける歴史の中でその作り続けられた道具の中に至るまで、自体内において、膨大に必要に応じて、同時に供給し続けなければならなかった（特に電気の良電体、鉄金属を発見した）畜発電の必要性に迫まられる時、人体皮膚表皮に、ロドプシン（発電）細胞を増やし続け、体毛を損わせる進化の過程を得る所となった。
【００７４】  筆者は、他に多くいる兄弟の中で、親の死に目に遭い、親の意志を継げる只独り、親が死んだ時、そこに居て、その亡き骸が持っていたインパルス電子の全てを受け継ぐ事が出来た。親の意志を受け継ぐのは、肉体にある遺伝子だけではなかった。
【００７５】  筆者はバイオリン奏者であった。素形、型は同じに見えるバイオリンでも、シュトララデバリウスでは、製作者が持っており、製作者の脳筋が発っする強い電子流が、その手先、ノミ、ナイフ等、工具を伝わって、バイオリンの木目からその細胞に至るまで、電子流の形で、レコードの刻まれる溝の如く、これを焼射しながら削り取り、バイオリン本体に、製作者の脳の中にあるシワと同じ溝、空洞をこれに、刻み続ける時、制作者が意（心）とする音色が、これに出る様になった。
【００７６】  即ち、人の脳とは、新生児において、その生活する過程において、発生する体内の強いインパルス、シナプス電子流が、脳中、筋中連立体細胞を行き来しながら、同一視される刺激物を掴えると、記憶すべく、これらに焼射し、削り取り、レコードの溝（シワ）に以た物を作り、その刺激を情報として、肥握、理解すべく、その削り取られた溝（シワ）は、そのままの型にして残し、再度同じ、筋神径連立体から、その同じ情報が巡廻されれば、これが、その様にして先に空けられている、溝に込り込む時、脳は、筋中細胞が感じた物体が何んであったのか、記憶としてこれを思い出す事が出来るものであった。
【００７７】  その様に、人の脳は、より多くの諸道具を発明し、これら製作される道具にも大量のインパルス電子（神径）流を注ぎ込む
2005325498.tif 000037
させ、記憶しなければならない諸情報を増やす、大脳神径細胞を増やし続け、進化した時、平均、
【００７８】  １日、２時間以上（コドモを除く）、必要以上に、体内に入ってくるパルス電子量を制限しなければならない必要が生じる時、人類は、人体裸体に丁度良い衣服を考案し、身に纏い続けるものになるものであったが、しかしながら、この巨大化した人類の脳の傍の顔面と、その文化、文明を支え続けて来た人の手先、足先、指先をする、脳筋連立体細胞には、常時、太陽パルス電子量を供給し続ける方が、本件論文内容においては望ましい条件が成立し続けた。
【００７９】  この事から筆者は興味を覚え、実態調査の為、ボールペンと手帳を持ち、本件論の意議に添って、街中を歩き、老若男女を問わず、髪の毛の簿い人、白髪、ハゲている人々を考察してみた所、それらの人々の生活実態からは、夕方、甘味、若しくは、晩酌を欠かせず、運動が少なく、頭脳労働を用し、日々、ウマイ物を喰い、スーツ素形で、日がな一日中、素膚を露出する事の少ない人口密度に集中している事に気が付いた時、これらも、本件論文の考証論理に加えるべく、進化した新人類の素形ではないか？と考えられる所でもあった。
【００８０】  これらの事から、人類、人間界では、稼動時間８時間、準備時間８時間、睡眠時間９時間の合計２５時間が時間割り最良のリズム生活パターンにある様に、筆者が、
人間社会、衣装学（テオリーくん作）による「安全、見た目、利使用目的、便利価値、、使い勝手の良さ」の五原則を主軸とした未来型衣服を発明、考案する時、本体論文を総ざらいに纏めてこれを発表するなれば、
【００８１】  その五原則を基いとして、人類、人間界において、人間が、いつまでも青少年の素裸が如く、フサフサした水々しい髪の毛と、柔い膚細胞を保持したいと望むならば、その一日に、人間、個人個人として、それぞれに与えられてある時間割リズムパターンの中にあって、稼動時間８時間中の１時間を日光浴、時間に当て、朝、夕の順備期間中における３０分づつを平均して、１時間前後、これを日光浴時間に当てがい、その他の時間帯は、全ったく日光を寄せつけないスーツ素形を保持すれば、簿くなった髪の毛や、ガサガサになって、老化し続ける所の人体、脱毛症、シワクチャ膚細胞膚は自然と蘇生するままに甦生されるものとなるものであった。
【００８２】  筆者は本論文を書いている今年で満４８才であったが、１８〜２８才の膚細胞と顔面を持っていた。筆者が、――であり、家に帰って来た時、お巡りさんから口情の電話が入り、「お宅の息子さんがお父さんのマコトさんの免証証を持ち、マコトさんを名乗り、車を運転し、お巡りさんの言う事も聞かず、家に帰って行った。お父さんの方から注意して下さい。」との事であった。「マコトは私です。」と答えたから話しがややこしくなった。筆者は４８才になってもダダっ子であった。６０才になって、この顔をしていたならばさらに話しがややこしくなるのではないか？と考える昨今であった。筆者は、お巡りさんが巡回している上野公園近くの谷中の墓地で、「オバケ」を科学的に解明しようとして、真夜中、２時にオバケ狩りをやっている最中に起こった事件であった。
【００８３】  しかしながらこれだけの説話を本論文に提唱したのは、人類科学には、光粒子第一次爆発をする（：Ｘ）考え方が未だ無かったからであり、この考え方による、理論を用うると、現代科学では解明できなかった。数式を表わせ、現代科学では作れない物を単純な物から複雑な物に至るまで、作る事が出来るものとなったからであった。
【００８４】  それ故、実に人体をして、あらゆる地球のＧを躰に受けて棲息する生物達は、この光粒子を日々、躰の中心（Ｅ２＝ｎ）にある合力に吸収しているものである事をして、例い雷であれ、数式上、地球の球心（重力）が耐え得るだけの同等の構造を持っているものだけに、例い人体が雷の直撃を受けても、これを人体の中心で受ければ耐え得るだけの構造を持っている事を知っていただきたかったからであった。水圧とて然り、これを考証論理で表わすと、２０００Ｖの電線に鳥が止まっていても、通感電しない原理による事であり、蛇が電柱から電線に移った時、感電死する例えを揚げると、分かり易かった。（大西真実、特許出願番号２００４−      全自動シートベルト参照されたし）
【００８５】  これら太陽光パルスは、人体の中心Ｅ２＝ｎにある合力で、受けた後、その中心からニュートリノ、Ｔの型で、体外に飛び出す時、超心理学．者？達の唱える言葉「オーラー」を用いると堪だ都合が良かったので、これを拝借して、オーラー、θとする時、これが見えると自称する超能力者があるが、一般的には、人の目には見えないものであった。
【００８６】  一般人が、これを見ようとすれば、その光りの正体は、太陽の様な活性（燃性）星ではなく、地球、月を始めとする、不活性（不燃性）星の中心Ｅ２＝ｎにある合力が外き出した、青白い光、オーラー（ニュートリノ：Ｙ）であって、これら不活性星が光って見えるのは、太陽光線（水素爆発）パルスが発っした光の光影（インパルス）で見えるので
2005325498.tif 000038
【００８７】  然るに全身から体毛を失わせ、塩と水の中の水素原子の元に光粒子を用いて、人膚が、畜発電し、多量のインパルス電子を作り、脳中に供給している時、人の全身細胞の８０％以上を火傷、若しくは、古くの例え話しにおいて、コールタールを全身に塗り、仮装大会に出場した者が、２４時間前後で脳機能障害を起こして、絶命した事を考証的根拠に考えられる所であった。（人を２４時間水中に漬け置いても絶命しない。）
【００８８】  巷に、進化の過程において、人が、頭部、陰部からの体毛を消失しなかった事は、植物の葉の性質にある、色素をこれに持たせ、これらは、動物体内に大量に栄養を必要とし、これに補給させる目的を持つ消化器系とは、独立して、光合性を行い、動物体（脳）中に、栄養素を作り出し、供給しているものである。と、筆者の科学研究グループは研究中であった。（大西真実特許、出願番号２００４−            平成１６年  月  日出願「健康甦生保険歯磨き」参照されたし）
【００９０】
【発明を実施する為の最良の形態】
本件、論文をして、万有爆力の法則の元、摂氏４０００００００℃／ｃａｌを発する太陽パルス、インパルス
2005325498.tif 000039
【００９１】  人体は裸体においては、４０℃／ｃａｌ前後にある恒設温度（恒温）をして、大気温度（４℃／−１℃）の
2005325498.tif 000040
する、３６℃／ｃａｌを極単に下回わった時には、シバリング現象を起こし、体内においての、雷スパーク現象は無くなって、ロドプシン電子流はストップする為、死亡します。し、
【００９２】  又、反対に、恒設温度を大幅に体内に発生させた時には、自動的に雷スパーク現象が甚大に増え、ロドプシン膚細胞は酷使されるままにガサガサになって、これらの細胞は、やがて、塩と水を分離し、畜発電力を失い、死亡量を増やし、老化させるままに皺を増やして、見た目の悪いジイさん、バアさんの素形に変貌し、体力を劣えさせます。
【００９３】  しかしながら、人、若しくは、類人猿の類いは、その脳筋、連立神径体径路を、顔筋と細かい仕事をする事、手足の連立体神径を最も発達させ、頭脳に通じさせているので、ロドプシン細胞が致密に密集する、これらの部位には、どうしても大量の大陽光パルスを受注しなければならずに、もし、これらを覆い隠す事があれば、人の頭脳及び手指の神径径路が鈍くなる
2005325498.tif 000041
【００９４】  それ故、これをする、理由は、人類の衣装学にある、五原則中の使い勝手の良さと利使用目的、価値の進歩が、堪だ送れていたからであり、本論文を理解する、必要なる時には、これをすぐに使用でき、不要なる時、これを外し、又、必要に応じては、速やかに身仕度できるべく衣装の開発（技術）が遅延していたからであった。
【００９５】  光粒子は、一定の温度を保ち、温度や電子量に変換する他、水素、他原子と化合、分離し、別原（分）子に変わるものである。とする、本件論文にある、光粒子爆発理論（立証実験は、水の
2005325498.tif 000042
【００９６】  本発明品に水分を含ませた、指無し手袋、鉢巻、襟巻、腕巻き、用い、人体露出部に、一日二時間前後、これを外り外す事、調整して用いると夏期暑中、特にこれらの部位にあって、本発明品に含まれた保水、水分と光粒子が衝突し、電子爆発を起し、その際、昇華熱を奪い、オゾン層を本発明品のある部分一帯に発生させる為、鉢巻をするだけで、オゾン層が顔面全体に出来上がり、顔面部位に覆いを付ける事の必要性を得ず、人体の露出膚部の（ロドプシン）細胞全体を、ほぼ、防備する事ができる事となった。
【００９７】  然るに冬寒期においても、これら簿手生地で作られた本発明品を衣装の一環として用いる時、手、顔、襟首の保温が保て、特に手袋は五指全部を覗かせているので、脳筋連立体における、その神径機能を鈍らせるを併発し、イライラするままに取ったり外したりする事が殆ど無くなる新期、人類衣装の形態としては、最良の型であった。但し、手袋の手甲に当たる部分だけは厚手生地を用いる事が理想であった。
【実施例】
【００９８】  本発明品は、学生を始めとし、設計、製図、文筆業、事務職にある人々から、あらゆる広範囲に渡っての作業、仕事に携わる人々の入退社時間における太陽パルスを人体に需注する時間帯の他、屋内仕事中に、余計な分量の電子光線パルスを受けた場合、体温が上がり、油汗垢が、顔や指先に大量に出て、ノート、事務用紙、パソコンキーをやたら汚し、これらの手垢油が原因し、これがガンコに付着すると、エンピツ、ペン先の運びが悪くなり、手垢油でインキが滑って、文字が書けなくなるものであった。【００９９】  しかしながら反対に、本学説論文にある様に、日重な、一日中、背広、スーツ素形にガッチリと身を固め、パルス光線の人体需注率を下げるままに、激しく、頭脳労働をし続けると、脳筋連立にある、インパルス体内電子量を減らすまま、酷使されるロドプシン細胞を活発化させる事となり、体内での酸化の間に合わない、酸性の強い油汗が、不燃されるがままに、これをする畜発電量が、間に合わなくなり、その必要性に迫まられて、人体形を変形させる、頭毛を白髪化させ、ハゲさせて、それが故に、【０１００】  パルス光電子粒需注率を補い続ける時、本発明される着せ替えが簡便に出来る、袖無しジャケットの袖部をファスナーで簡単に取り、日に当たる事の少ない、腕部を二時間前後、日光浴させ、水分を多く含んだ、健康甦生鉢巻きをし、顔面部にオゾン層を作りながら、頭、顔面部の体温を下げてやると、ガサガサ膚、白髪化、油症現象は、緩和され、自然に甦生され治癒されてゆくものとなった。体温を下げてやると、変換される光粒子は減るからであった。【０１０１】  この学説に対する、動物実験、人体実験をする、最近の若者間で、流行する強い酸性薬品３日を頭毛に付けると黒髪が茶色、若しくは金色に変色する他、レモンの果汁等をこれに付けると、白髪化します。【０１０２】  髪を五分刈りとし、詰め襟学生服に薄手袋、鉢巻き素形をりりしく見せる甲子園球場で見られる学生応援団員達の素形は、見る者の目に快括感を与え、日本の旧軍隊にあって、将校を目指す若人達の完成した衣装の様にも、見えるものであり、【０１０３】
2005325498.tif 000043
する中、教鞭を取る教師の教えを受講する学生達のその姿勢は、今日の日本の繁栄を築き上げる者達と共に研究され続けて来た衣装を高度に追求されて出来た筈のものであったが、【０１０４】  だが筆者の考えは、違った。これらりりしく育ち続ける、学生、企業戦士等の身に付ける衣装は、この様に人体解賠学見地から見た場合、その余時間を見計らって、１日２時間前後、腕部や、襟部を簡易にファスナーを開ける事で日光浴の出来る未来形衣装に進歩し、改良できる余地がまだまだあり、それらの他の時間は、しっかりと、太陽、パルス電子から、身を守れる様にするには、本発明論文に附随する図面の形状が望ましく、これらの物を実際に着用した場合、白髪化したり、頭髪が禿げる事も少なくなり、油症や垢の出かたも緩和され、治癒されてゆくものとなった。
【産業上の利用の可能性】
【０１０５】  現佐世界的な不影気に各国が晒されており、我が日本国でも人々の努力も空しく、日進月歩でこれらは悪くなっていた。「何故であろうか？」と考える時において、一課題が与えられ、それらに、「公式が与えられ、解答が得られると、終わるものであった。
【０１０６】  筆者に、「不影気とは、何人であり、どうしたならば、これらは改善できるものでありますか？」と質問する者がいた。筆者は、哲学者でもあり、哲学と数式を用いて、これらに答えていた。
【０１０７】  「景気とは、影気と読む時、その言葉の意味が分かる。」と答えて後、即ち、「見る風景に対して影げりが生じると夜るになる。」の意であり、新旧交代時に多にしてこれは起こるものであったので、筆者は、この人の勧めもあり、科学者としての知識を用いて、発明家に転校し、これの救済に当たれれば、幸いなりとして、多くの特許論文を残す事にした。
【０１０８】  景気とは、先進国、知識人等の知恵にある発明（産業界）が技術者（実業界）のこれを呼び起こし、多くの従事者（雇用界）に金品を環元させる事が出来、サイクル運動を活生化させて起こるものであり、それをして
【０１０９】  列強の先進国に威並ぶ知識人達をして、マンネリ化する知識、学問より、１％の教育する知識が進むと、現在の通貨価格を用いる所、１兆円の国費を無から有の生界へ産み出す事の出来る経済力学を持っていた。それ故、公式Ｅ２＝ｎ⇒Ｘ＋Ｙ＝Ｚを用いた時、
【０１１０】  即ち、影気とは人類の資産をＥ２＝ｎとし、有資産力学をＸとし、無資産反動力学をＹとして、要素Ａたる起爆力を与えた時、Ｙは、Ｚの中に取り残されたまま、Ｘ２に替わり、  、Ｅ２＝ｎ⇒Ｘ２（−Ｙ）Ａ＝Ｚとなり、負債形体Ｙは、無形体を残したまま、資産Ｘの中に組み込まれ続けて稼働（バブル発生）するものとなった時、景気は改復するものとなります。（景気前進力学）
【０１１１】  簡単例で言えば、火種要素（−Ａ）を持つマッチが発明された時、人類全体の資産（Ｅ２＝ｎ）が生じ、−Ａｘ（−Ａｙ）の発展力学が生じる時、便利が良い利点がある（−Ａ２）の、進展力学（Ａ２Ｘ−ｙ）はバブルを発生させる為、影気（Ｙ）を景気（ｘ）の形体（Ｚ）に変えますが、これらの発明がマンネリ化して、火種要素（Ａ）の発明価値が２０年過ぎて消滅する時、人類資産（Ｅ２＝ｎ）から、（＋Ａは）見離され、景気（ｘ）と影気（Ｙ）は釣り合って景気は、低迷する中、公式はＥ２＝ｎ⇒Ａ２ｘ−Ｙから、Ｅ２＝ｎ⇒（−Ａｘ）（−ＡＹ）に後退し、やがて、Ｅ２＝ｎ⇒Ｘ＋Ｙ＝Ｚに変わり終息してゆきます。しかしながら、これらにおける例えから、
【０１１２】  もともと、発明とは、マイナス要素（−ＡＸ）をもつものであり、火種（−ＡＸ）は、旧式の火打石を複括させる、低コスト、大量生産可能による、安全、見た目、便利、使い勝手、利使用目的の五大要素を得る１００円ライターなる、新発明とし、これが起こると、再びＥ２＝ｎにある、進展力学は、Ｘ＋Ｙ＝Ｚから、−Ａの要素を得て、（−ＡＸ）（−ＡＹ）に変わり、Ａ２ｘ−Ｙの数式の元、バブル経済を発展させ、国民、企業、そして国を潤し続ける事が出来るものとなった。
【図面の簡単な説明】
【０１１３】
【図１】健康甦生保険手袋全体図であり、利使用目的を強化させるべく、小間物ポケットを多くこれに取り付けるべく事をして、（立証実験の元）水は、光粒子（電磁線：電子）にあたると、水素と酸素原子に電気分解し、反対に光粒子が全ったくなく、そこに１００℃の熱量（ｃａｌ）がある時、水素と酸素原子は結合し、（衝平原象）水分子となる（万有爆力の法則）時、人体の裸体部は、本発明品のこれを用いる事で、これら日常にある激しい、化学作用にある衝撃力で膚細胞を損壊しなくとも済む事を示した部品、それぞれを示している。
【図２】健康甦生、保険、鉢巻と、取付、取外し自在ハップリ、並びに庇図であるが、車両運転中、かかって来た電話のスイッチを押し、ハップリに付いている金具に押し込んで設置するだけで、フリーハンド使用となる事を示し、仕事、（作業）中、美容と健康如き理由を嫌って、このハップリの使用を禁止する会社思想と交通事故防止、他交通違反強制、税金取り立てに抗議する意味合いもあって、発明される品を示している図。（２００４−１１０５６２号、笑う佐藤さん参照）
【図３】襟首、膚の老化を防止目的として、製作される襟巻きと、この装飾品、イニシャル、リボン、フリルを示している図。
【図４】健康甦生保険手袋のすそ部分にベルト通しや、ベルト取しやベルトを取り付け、本発明品が衣装、衣服の一環である事を利用者に強く印象付ける為の工夫図と、どうしても露出しがちな手首に素焼水筒をリストアップバンドとして取り付け、手袋と一体化した時、日照エネルギー防止となり、サイクリング他において手首をして、自動的に腕部を鍛える事となる為、腕部筋肉のアンバランスの衰えから起こる４０肩、５０肩痛予防となるものであった。図は動物（ナマコ）型、手首巻付素焼水筒。
【図５】スーツ、Ｙシャツで仕事をする紳士、淑女が、その職場でスーツを脱いでＹシャツの腕まくりをする様なみっともない真似をしなくともＹシャツの腕部、腹部に取り付けられた割り切りファースナーを外す事で、休憩時間に、腕部、腹部に日光浴が出来る事を示した図であり、上着にも応用でき、その他、これらシャツの襟首に学生服に使われる襟カラーを襟首に用いる時、シャツの襟首が垢で汚れる事なく、直射日光が、襟首に入りづらく、首筋膚の老化が防げ、襟カラーに仕組まれた溝孔にゴム紐等を通して置き、先端にボタンを付けておくだけで、ネクタイ布の経費、節減となり、良質、安価格のネクタイを日替わりで取り替え楽しめる工夫がしてある事が示してある図であった。
【図６】大西真実、別特許２００３年３２９０３８号「多目的用途、収納ケース」を腕バンドに取り付けた図を示しているものであるが、携帯電話に発生するマイクロ波電磁力線を心臓に近い胸ポケットに入れて、受注する事は、心臓と脳に不担を与える事になる事から本案が考案される所となった。（立証実験は、マイクロ波を受注する現代の電子器機に携帯電話電磁、マイクロ線を照射すると、変調（ハウリング）を起す同意議、人体、心筋電磁力の正常機能に併害を起こす所となったからであった。
【図７】夏期暑中、半袖、シャツ素形にある人体、腕部の裸体を覆いたい時に用いると便利な面テープ付、腕カバーの図。
【図８】健康甦生保険手袋において、人体における神径伝通経路の小さい両手、小指第一関接部位を切除し、他、神径伝通経路の大きい親指、人差指、中指、薬指の第二関接部位から手袋の指部分を削除した図を表わしたものであり、この手袋を着けて車を運転する時や、筆記仕事をする際には、手の小指に発生する油汗、手垢が、筆記紙面を汚さずに済み、ペン先運びの良い物になる図。
【図９】健康甦生保険手袋において、五指（十指）関接部位附近を全て切除し、手袋に内側に通気性の良いメッシュ生地を張り合わせ、行楽、ドライブ等における手の甲の日焼止め、他、日焼け止め他、筆記仕事をする時の手垢、油汗の紙面附着防止に為する図。
【符号の説明】
【０１１４】Ａ１．既市販されている薄手の汗をよく吸収する木綿等の手袋。五指、指先の第一、第二、第三関節部位を切断して健康甦生保険手袋を製作するする事を示す。  Ａ２．車等の運転中には、ビニールのボツボツが付いていると便利である事を示している。  Ａ３．健康甦生保険手袋等を使用中、手袋が乾いて来たら、手袋の甲の部分にあるポケットに保湿布Ａ４を入れて、手の甲を潤す、不要時にはメモＡ５等を入れる  Ａ４．保湿布  Ａ５．メモ帳等  Ａ６．チケット等  Ａ７．面テープ  Ａ８．霧吹き  Ａ９．水入れスポイト  Ａ１０．左右手袋留めボタンと面テープ  Ａ１１．釣針入れポケット  Ａ１２．ファスナー  Ａ１３．庇  Ａ１４．内側を取り替え式の保湿紙、若しくはタオル地で作る形状記憶合金入り鉢巻き  Ａ１５．形状記憶合金枠取りによる頬当て  Ａ１６．形状記憶合金  Ａ１７．イニシャル  Ａ１８．フリル、  Ａ１９．リボン  Ａ２０．アクセント．バンド  Ａ２１．水を吸ったスポンヂ  Ａ２２．リスト．アップ．ベルト（（動物を形取った素焼水筒（中に水を入れる）であり、人の４０肩、５０肩痛は冷えと腕の筋肉を使わないアンバランス現象から起こる時、これを腕バンドで付けて日常歩き回るだけで、４０肩、５０肩痛予防品となります。特願．２００４−２７８４５７参照））  Ａ２３．衝撃吸収、ゴムボッチ  Ａ２４．水を含んだスポンヂを入れるポケット  Ａ２５．頬当てを広げると顔膚細胞が衰えません。  Ａ２６．健康甦生保険手袋を第三関接から切除して製作した事を示しており、  Ａ２７．筆記仕事をする際手袋の小指のみ第一関接切除をしておくと、手垢、油汗が、紙面に付着しないで済む事を示している。健康甦生保険手袋の手の平側をメッシュ布を使用して製作すると通気性が良くなる事を示している。  Ａ２８．手首カバー  Ａ２９．携帯電話キャッチャー（車の運転中、電話がかかって来た時、受信ボタンを押して、これに嵌め込むと、フリーバンドで車の運転が出来ます。）  Ａ．３０携帯電話、押し付けバネ（ここに携帯電話を押し込んでいれると、バネで固定されて、電話が固定されます。  Ａ３１．電話聞き取り穴  Ａ３２．通話穴  Ａ３３．日焼防止マスク  Ａ３４．耳当てゴム  Ｂ１．学生服等にある襟カラーをＹシャツの襟部に差し込んで取り付けた図を示している。（Ｙシャツの襟首の汚れが少なくなります。）  Ｂ２．襟カラーを留めるボッチ  Ｂ３．襟カラーに溝を付けると通気性が良くなる。  Ｂ４．ネクタイ吊りゴム紐通し溝  Ｂ５．取り替えネクタイ．取付用ボタン  Ｂ６．携帯電話収納ケース（（特願２００３−３２９０３８））  Ｃ１．人は頭脳労働）作業をする際、人体は、多くの（大陽）光電子エネルギーを代謝量として必要とする時、顔面のみ露出されていて、その受注が間に合わなくなると、電子発電量が追い付かなくなる仕方の無い理由が生じて防御反応から、老若男女を問わず、頭部から頭髪を損わせ続ける（若）ハゲ現象が生じる時、これを防ごうと思われるならば、仕事（作業）中、猛裂に頭を使う時には、Ｙシャツの腕めくりをするのも、みっともない事であり、シャツ腕部に割り切りチャックを付け、シャツを半袖として、仕事（作業）に望む時、腕部にあるロドプシン細胞での光粒子発電量代謝率を助ける事となり、若ハゲ、���白髪現象の促進を押える事となるので、頭髪のハゲ、及び、変色防止になる事を示す、科学的要素を得る。取り付け、取り外し自在腕カバーを示すものであった。（但し、仕事も終わり、平素時においては、２時間前後以上の光電子流は不要となる事から腕カバーは着衣している事が望ましかった。）
【手続補正２】
【補正対象書類名】図面
【補正対象項目名】全図
【補正方法】変更
【補正の内容】
【図１】
2005325498.tif 000044
【図２】
2005325498.tif 000045
【図３】
2005325498.tif 000046
【図４】
2005325498.tif 000047
【図５】
2005325498.tif 000048
【図６】
2005325498.tif 000049
【図７】
2005325498.tif 000050
【図８】
2005325498.tif 000051
【図９】
2005325498.tif 000052